(57)【要約】蓄電池の利用効率を高めることを課題とする。当該課題を解決するため、第１のサービスのために蓄電池に充電又は放電させる電力を特定するための第１の情報を生成する第１の処理部（１０１）と、第１のサービスと並行して行われる第２のサービスのために蓄電池に充電又は放電させる電力を特定するための第２の情報を生成する第２の処理部（１０３）と、蓄電池を制御する蓄電池制御装置に、第１の情報及び第２の情報を送信する通信部（１０６）と、を有する制御装置（１０）を提供する。
2017203664.tif 000002
【特許請求の範囲】
【請求項１】
第１のサービスに関連して蓄電池に充電又は放電させる電力を特定するための第１の情報を、前記蓄電池における定格出力値に基づいて生成する第１の処理手段と、
前記蓄電池を制御する蓄電池制御装置に、前記第１の情報を送信する通信手段と、
を有する制御装置。
【請求項２】
第１のサービスに関連して蓄電池に充電又は放電させる電力を特定するための第１の情報を生成する第１の処理手段と、
前記第１のサービスと並行して行われる第２のサービスに関連して前記蓄電池に充電又は放電させる電力を特定するための第２の情報を生成する第２の処理手段と、
前記蓄電池を制御する蓄電池制御装置に、少なくとも前記第１の情報を送信する通信手段と、を有する制御装置。
【請求項３】
請求項１又は２に記載の制御装置において、
前記通信手段は、前記蓄電池制御装置に、前記第１の情報と、前記第１のサービスと並行して行われる第２のサービスに関連して前記蓄電池に充電又は放電させる電力を特定するための第２の情報とを送信する制御装置。
【請求項４】
請求項２又は３に記載の制御装置において、
前記蓄電池に関する情報であって、前記第１のサービスのための出力の上限及び前記第２のサービスのための出力の上限の少なくとも一方を示す制御情報を取得又は設定する制御手段をさらに有し、
前記第１の処理手段が前記制御情報に基づき前記第１の情報を生成する処理、及び、前記第２の処理手段が前記制御情報に基づき前記第２の情報を生成する処理の少なくとも一方を行う制御装置。
【請求項５】
請求項４に記載の制御装置において、
前記第１のサービスのための出力の上限と、前記第２のサービスのための出力の上限との和は、前記蓄電池用のＰＣＳの定格出力値以下である制御装置。
【請求項６】
請求項４又は５に記載の制御装置において、
前記制御手段は、複数の前記蓄電池各々に対応して異なる内容の前記制御情報を取得又は設定し、
複数の前記蓄電池各々に対応する前記制御情報で示される各タイミングでの前記第１のサービスのための出力の上限の和は所定範囲に収まる制御装置。
【請求項７】
請求項４から６のいずれか１項に記載の制御装置において、
前記第１のサービスは、電力系統の需給バランス調整に関連して前記蓄電池の充放電を制御するＬＦＣ（lord frequency control）制御及びＧＦ（Governor Free）制御の少なくとも一方に関するアンシラリーサービスであり、
前記第２のサービスは、電力単価が相対的に安い時間帯に電力を充電し、電力単価が相対的に高い時間帯に電力を放電する充放電動作を前記蓄電池に実行させるエネルギーマネジメントサービス、ピークカットを行うエネルギーマネジメントサービス、小売電気事業者からの依頼に基づき前記蓄電池の充放電を制御するインバランス回避サービス、及び、発電事業者からの依頼に基づき前記蓄電池の充放電を制御する余剰電力吸収サービスの中のいずれかであり、
前記制御手段は、
前記第２のサービスの出力の上限を設定した後、前記第２のサービスの出力の上限に基づき前記第１のサービスの出力の上限を設定する、または、
前記第１のサービスの出力の上限を設定した後、前記第１のサービスの出力の上限に基づき前記第２のサービスの出力の上限を設定する制御装置。
【請求項８】
請求項２から７のいずれか１項に記載の制御装置において、
前記第２の処理手段は、ＳＯＣの値が所定の値以下または所定の値以上になる時間帯が前記蓄電池毎に異なる前記第２の情報を生成する制御装置。
【請求項９】
請求項２から８のいずれか１項に記載の制御装置において、
前記第１のサービスと並行し、前記第２のサービスとの間で選択的に行われる第３のサービスに関連して前記蓄電池に充電又は放電させる電力を特定するための第３の情報を生成する第３の処理手段をさらに有し、
前記通信手段は、前記蓄電池制御装置に前記第３の情報をさらに送信する制御装置。
【請求項１０】
請求項４から７のいずれかに従属する請求項９に記載の制御装置において、
前記第３の処理手段は、前記第２のサービスのための出力の上限を、前記第３のサービスのための出力の上限として、前記第３の情報を生成する制御装置。
【請求項１１】
請求項４から７のいずれかに従属する請求項９又は１０に記載の制御装置において、
前記制御手段は、前記第２のサービス及び前記第３のサービスのいずれを優先させるかを決定し、
前記通信手段は、前記第２のサービス及び前記第３のサービスのいずれを優先させるか示す情報を、前記蓄電池制御装置に送信する制御装置。
【請求項１２】
請求項９から１１のいずれか１項に記載の制御装置において、
前記第２の処理手段は、前記第３のサービスの実施に応じて、前記第２の情報を更新する制御装置。
【請求項１３】
請求項９から１２のいずれか１項に記載の制御装置において、
前記第２のサービスは、電力単価が相対的に安い時間帯に電力を充電し、電力単価が相対的に高い時間帯に電力を放電する充放電動作を前記蓄電池に実行させるエネルギーマネジメントサービスであり、前記第２の情報では、放電時間帯及び充電時間帯のスケジュールが定められており、
前記第３のサービスは、小売電気事業者からの依頼に基づき前記蓄電池の充放電を制御するインバランス回避サービスであり、
前記第２の処理手段は、
前記第３のサービスの実施が終了した時点が前記第２の情報で定められる前記放電時間帯である場合、前記第３のサービスの実施が終了した時点の前記蓄電池の充電電力量を前記放電時間帯で放電する前記第２の情報を新たに生成し、
前記第３のサービスの実施が終了した時点が前記第２の情報で定められる前記充電時間帯である場合、前記第３のサービスの実施が終了した時点の前記蓄電池の空き容量分を前記充電時間帯で充電する前記第２の情報を新たに生成する制御装置。
【請求項１４】
請求項２から１３のいずれか１項に記載の制御装置において、
すべての前記サービスを停止した状態で単独で行われる第４のサービスに関連して前記蓄電池に充電又は放電させる電力を特定するための第４の情報を生成する第４の処理手段をさらに有し、
前記通信手段は、前記蓄電池制御装置に前記第４の情報をさらに送信する制御装置。
【請求項１５】
請求項１４に記載の制御装置において、
前記第４の処理手段は、前記蓄電池用のＰＣＳの定格出力値を、前記第４のサービスのための出力の上限として、前記第４の情報を生成する制御装置。
【請求項１６】
請求項２から１５のいずれか１項に記載の制御装置において、
前記第１の情報で特定される前記蓄電池に充電させる充電電力の積算量と、前記第１の情報で特定される前記蓄電池に放電させる放電電力の積算量とが対応する第１のタイミングが繰り返し現れる制御装置。
【請求項１７】
請求項１６に記載の制御装置において、
前記第２の情報で特定される前記蓄電池に充電させる充電電力の積算量と、前記第２の情報で特定される前記蓄電池に放電させる放電電力の積算量とが対応する第２のタイミングが繰り返し現れ、
前記第１のタイミングが現れる周期と、前記第２のタイミングが現れる周期とは異なる制御装置。
【請求項１８】
請求項１７に記載の制御装置において、
前記第１のタイミングが現れる周期は、前記第２のタイミングが現れる周期よりも短い制御装置。
【請求項１９】
請求項２に記載の制御装置において、
前記制御手段は、前記第１のサービス及び前記第２のサービスの内の一方の実施を停止させることを決定し、
前記通信手段は、前記第１のサービス及び前記第２のサービスの内の一方の実施を停止させる信号を前記蓄電池制御装置に送信する制御装置。
【請求項２０】
請求項１９に記載の制御装置において、
前記制御手段は、前記第１のサービス及び前記第２のサービスの内の一方の実施を停止させ、他方の出力の上限を引き上げることを決定し、
出力の上限を引き上げられたサービスのための情報を生成する前記第１の処理手段又は前記第２の処理手段は、引き上げられた出力の上限に基づき前記第１の情報又は前記第２の情報を生成する制御装置。
【請求項２１】
第１のサービスに関連して蓄電池に充電又は放電させる電力を特定するための第１の情報を受信する通信手段と、
前記第１の情報に基づいて、第２のサービスに関連して前記蓄電池に充電又は放電させる電力を特定するための第２の情報を算出する算出手段と、
前記第１の情報と前記第２の情報とに基づいて前記蓄電池を制御する蓄電池制御手段とを有する蓄電池制御装置。
【請求項２２】
請求項２１に記載の蓄電池制御装置において、
前記算出手段は、前記第１の情報と前記蓄電池における定格出力値とに基づいて、前記第２の情報を算出する蓄電池制御装置。
【請求項２３】
第１のサービスに関連して蓄電池に充電又は放電させる電力を特定するための第１の情報、及び、前記第１のサービスと並行して行われる第２のサービスに関連して前記蓄電池に充電又は放電させる電力を特定するための第２の情報を受信する通信手段と、
前記第１の情報及び前記第２の情報に基づき、前記蓄電池に充電又は放電させる電力を算出する算出手段と、
前記算出手段により算出された内容で前記蓄電池を制御する蓄電池制御手段と、
を有する蓄電池制御装置。
【請求項２４】
請求項２１から２３のいずれか１項に記載の蓄電池制御装置において、
前記通信手段は、前記第１のサービスと並行し、前記第２のサービスとの間で選択的に行われる第３のサービスに関連して前記蓄電池に充電又は放電させる電力を特定するための第３の情報を受信し、
前記算出手段は、前記第１の情報及び前記第３の情報に基づき、前記蓄電池に充電又は放電させる電力を算出する蓄電池制御装置。
【請求項２５】
請求項２４に記載の蓄電池制御装置において、
前記通信手段が、同じタイミングで前記蓄電池に充電又は放電させるための前記第１の情報、前記第２の情報及び前記第３の情報を受信した場合、
前記算出手段は、前記第１の情報及び前記第３の情報に基づき、前記タイミングで前記蓄電池に充電又は放電させる電力を算出する蓄電池制御装置。
【請求項２６】
請求項２４又は２５に記載の蓄電池制御装置において、
前記通信手段が、同じタイミングで前記蓄電池に充電又は放電させるための前記第１の情報、前記第２の情報及び前記第３の情報を受信し、かつ、前記第２のサービス及び前記第３のサービスいずれを優先させるか示す情報を受信した場合、
前記算出手段は、前記第１の情報と、第２の情報及び第３の情報の内の優先させる方のサービスに関する情報とに基づき、前記タイミングで前記蓄電池に充電又は放電させる電力を算出する蓄電池制御装置。
【請求項２７】
請求項２１から２６のいずれか１項に記載の蓄電池制御装置において、
前記通信手段は、すべての前記サービスを停止し、単独で行われる第４のサービスに関連して前記蓄電池に充電又は放電させる電力を特定するための第４の情報を受信し、
前記算出手段は、前記第４の情報に基づき、前記蓄電池に充電又は放電させる電力を算出する蓄電池制御装置。
【請求項２８】
請求項２７に記載の蓄電池制御装置において、
前記通信手段が、同じタイミングで前記蓄電池に充電又は放電させるための前記第４の情報及びその他の情報を受信した場合、
前記算出手段は、前記第４の情報に基づき、前記タイミングで前記蓄電池に充電又は放電させる電力を算出する蓄電池制御装置。
【請求項２９】
請求項２８に記載の蓄電池制御装置において、
前記通信手段が、同じタイミングで前記蓄電池に充電又は放電させるための前記第４の情報及びその他の情報を受信した場合、
前記蓄電池制御手段は、他の前記サービスのための充放電を停止し、前記第４のサービスのための充放電のみを前記蓄電池に実行させる蓄電池制御装置。
【請求項３０】
請求項２１から２９のいずれか１項に記載の蓄電池制御装置において、
前記第１の情報で特定される前記蓄電池に充電させる充電電力の積算量と、前記第１の情報で特定される前記蓄電池に放電させる放電電力の積算量とが対応する第１のタイミングが繰り返し現れる蓄電池制御装置。
【請求項３１】
請求項３０に記載の蓄電池制御装置において、
前記第２の情報で特定される前記蓄電池に充電させる充電電力の積算量と、前記第２の情報で特定される前記蓄電池に放電させる放電電力の積算量とが対応する第２のタイミングが繰り返し現れ、
前記第１のタイミングが現れる周期と、前記第２のタイミングが現れる周期とは異なる制御装置。
【請求項３２】
請求項３１に記載の蓄電池制御装置において、
前記第１のタイミングが現れる周期は、前記第２のタイミングが現れる周期よりも短い蓄電池制御装置。
【請求項３３】
請求項１から２０のいずれか１項に記載の制御装置と、
請求項２１から３２のいずれか１項に記載の蓄電池制御装置と、
を有する制御システム。
【請求項３４】
第１の目的で電池部に充電又は放電させる第１の電力を算出し、前記第１の電力と、外部装置から受信した他の目的で前記電池部に充電又は放電させる第２の電力とを足し合わせることで、前記電池部に充電又は放電させる電力を算出する算出手段と、
前記算出手段により算出された内容で前記電池部から充放電させる電池部制御手段と、
を有する電池部制御装置。
【請求項３５】
請求項３４に記載の電池部制御装置において、
前記第１の目的はＧＦ制御であり、前記他の目的はＬＦＣ制御を含む電池部制御装置。
【請求項３６】
コンピュータが、
第１のサービスに関連して蓄電池に充電又は放電させる電力を特定するための第１の情報を、前記蓄電池における定格出力値に基づいて生成する第１の処理工程と、
前記蓄電池を制御する蓄電池制御装置に、前記第１の情報を送信する通信工程と、
を実行する制御装置の動作方法。
【請求項３７】
コンピュータを、
第１のサービスに関連して蓄電池に充電又は放電させる電力を特定するための第１の情報を、前記蓄電池における定格出力値に基づいて生成する第１の処理手段、
前記蓄電池を制御する蓄電池制御装置に、前記第１の情報を送信する通信手段、
として機能させるプログラム。
【請求項３８】
コンピュータが、
第１のサービスに関連して蓄電池に充電又は放電させる電力を特定するための第１の情報を生成する第１の処理工程と、
前記第１のサービスと並行して行われる第２のサービスに関連して前記蓄電池に充電又は放電させる電力を特定するための第２の情報を生成する第２の処理工程と、
前記蓄電池を制御する蓄電池制御装置に、少なくとも前記第１の情報を送信する通信工程と、
を実行する制御装置の動作方法。
【請求項３９】
コンピュータを、
第１のサービスに関連して蓄電池に充電又は放電させる電力を特定するための第１の情報を生成する第１の処理手段、
前記第１のサービスと並行して行われる第２のサービスに関連して前記蓄電池に充電又は放電させる電力を特定するための第２の情報を生成する第２の処理手段、
前記蓄電池を制御する蓄電池制御装置に、少なくとも前記第１の情報を送信する通信手段、
として機能させるプログラム。
【請求項４０】
コンピュータが、
第１のサービスに関連して蓄電池に充電又は放電させる電力を特定するための第１の情報を受信する通信工程と、
前記第１の情報に基づいて、第２のサービスに関連して前記蓄電池に充電又は放電させる電力を特定するための第２の情報を算出する算出工程と、
前記第１の情報と前記第２の情報とに基づいて前記蓄電池を制御する蓄電池制御工程と、
を実行する蓄電池制御装置の動作方法。
【請求項４１】
コンピュータを、
第１のサービスに関連して蓄電池に充電又は放電させる電力を特定するための第１の情報を受信する通信手段、
前記第１の情報に基づいて、第２のサービスに関連して前記蓄電池に充電又は放電させる電力を特定するための第２の情報を算出する算出手段、
前記第１の情報と前記第２の情報とに基づいて前記蓄電池を制御する蓄電池制御手段、
として機能させるプログラム。
【請求項４２】
コンピュータが、
第１のサービスに関連して蓄電池に充電又は放電させる電力を特定するための第１の情報、及び、前記第１のサービスと並行して行われる第２のサービスに関連して前記蓄電池に充電又は放電させる電力を特定するための第２の情報を受信する通信工程と、
前記第１の情報及び前記第２の情報に基づき、前記蓄電池に充電又は放電させる電力を算出する算出工程と、
前記算出工程で算出された内容で前記蓄電池を制御する蓄電池制御工程と、
を実行する蓄電池制御装置の動作方法。
【請求項４３】
コンピュータを、
第１のサービスに関連して蓄電池に充電又は放電させる電力を特定するための第１の情報、及び、前記第１のサービスと並行して行われる第２のサービスに関連して前記蓄電池に充電又は放電させる電力を特定するための第２の情報を受信する通信手段、
前記第１の情報及び前記第２の情報に基づき、前記蓄電池に充電又は放電させる電力を算出する算出手段、
前記算出手段により算出された内容で前記蓄電池を制御する蓄電池制御手段、
として機能させるプログラム。
【請求項４４】
コンピュータが、
第１の目的で電池部に充電又は放電させる第１の電力を算出し、前記第１の電力と、外部装置から受信した他の目的で前記電池部に充電又は放電させる第２の電力とを足し合わせることで、前記電池部に充電又は放電させる電力を算出する算出工程と、
前記算出工程で算出された内容で前記電池部から充放電させる電池部制御工程と、
を実行する電池部制御装置の動作方法。
【請求項４５】
コンピュータを、
第１の目的で電池部に充電又は放電させる第１の電力を算出し、前記第１の電力と、外部装置から受信した他の目的で前記電池部に充電又は放電させる第２の電力とを足し合わせることで、前記電池部に充電又は放電させる電力を算出する算出手段、
前記算出手段により算出された内容で前記電池部から充放電させる電池部制御手段、
として機能させるプログラム。
【発明の詳細な説明】
【技術分野】
【０００１】
本発明は、制御装置、蓄電池制御装置、制御システム、電池部制御装置、制御方法、蓄電池制御方法、電池部制御装置の動作方法及びプログラムに関する。
【背景技術】
【０００２】
需要家が保有する蓄電池の動作を制御する様々なサービスが検討されている。例えば、電気料金（電力単価）が相対的に安い時間帯に充電し、相対的に高い時間帯に放電するよう蓄電池の充放電を制御するサービスがある。当該サービスによれば、需要家は、電力会社に支払う電気料金を抑えることができる。【０００３】
その他、電力系統の需給バランス調整のために、蓄電池の充放電を制御するサービスがある。すなわち、需要家の蓄電池を電力系統の需給バランス調整のための調整力や予備力等として利用する。当該サービスは、送配電事業者に向けたサービスである。なお、当該サービスのために蓄電池を提供した需要家に所定のインセンティブを支払うことで、需要家に向けたサービスと捉えることもできる。【０００４】
その他、小売電気事業者からの依頼に基づき、蓄電池の充放電を制御するサービスが考えられる。小売電気事業者は、自システムの調整による３０分同時同量の達成が困難な場合、当該サービスを提供する事業者に、小売電気事業者が電力供給契約している需要家の蓄電池に対して、所定のタイミングでの所定量の充電又は放電を依頼する。当該サービスを提供する事業者は、上記依頼に基づき需要家の蓄電池を制御し、所定のタイミングで所定量の充電又は放電を行わせる。当該サービスは、小売電気事業者に向けたサービスである。なお、当該サービスのために蓄電池を提供した需要家に所定のインセンティブを支払うことで、需要家に向けたサービスと捉えることもできる。【０００５】
その他、自然エネルギー（例：太陽光）を利用した発電装置等を保有する発電事業者からの依頼に基づき、蓄電池の充放電を制御するサービスが考えられる。送配電事業者は、電力系統の需給運用に支障を及ぼす可能性がある場合、発電事業者に出力抑制（電力系統への逆潮流の抑制）を要請できる。出力抑制の要請を受けた発電事業者は、当該サービスを提供する事業者に、出力抑制を受けた時間帯に抑制が必要な分を充電する依頼を行う。そして、発電事業者は、出力抑制を受けた時間帯においても、出力抑制を行うことなく通常通りの出力を行う。当該サービスを提供する事業者は、上記依頼に基づき需要家の蓄電池を制御し、出力抑制を受けた時間帯に抑制が必要な分を充電させる。当該サービスは、発電事業者に向けたサービスである。なお、当該サービスのために蓄電池を提供した需要家に所定のインセンティブを支払うことで、需要家に向けたサービスと捉えることもできる。【０００６】
関連する技術が、特許文献１及び２に開示されている。特許文献１には、蓄電池を保有する需要家に対して、蓄電池の充放電制御スケジュールを提供するサーバ装置が開示されている。蓄電池を制御する制御装置は、当該充放電制御スケジュールを基に、電気料金レートが最も高い時間帯と最も低い時間帯との料金差が一定以上である場合、その電気料金が高い時間帯の予想消費電力に相当する電力を他方の時間帯に充電し、電気料金が高い時間帯において放電するよう蓄電池を制御する。【０００７】
特許文献２には、蓄電池の寿命を考慮したアンシラリーサービスを提供するアンシラリーサービス提供装置が開示されている。
【先行技術文献】
【特許文献】
【０００８】
【特許文献１】特開２０１４−２３６６２７号公報
【特許文献２】特開２０１２−６０８３３号公報
【発明の概要】
【発明が解決しようとする課題】
【０００９】
上記先行文献における蓄電池の充放電制御は、蓄電池のＰＣＳ（power conditioner system）における定格出力を考慮した充放電に関する制御ではないため、蓄電池及び蓄電池のＰＣＳを効率よく利用することができないという問題があった。
【課題を解決するための手段】
【００１０】
本発明によれば、
第１のサービスに関連して蓄電池に充電又は放電させる電力を特定するための第１の情報を、前記蓄電池における定格出力値に基づいて生成する第１の処理手段と、
前記蓄電池を制御する蓄電池制御装置に、前記第１の情報を送信する通信手段と、
を有する制御装置が提供される。【００１１】
また、本発明によれば、
第１のサービスに関連して蓄電池に充電又は放電させる電力を特定するための第１の情報を生成する第１の処理手段と、
前記第１のサービスと並行して行われる第２のサービスに関連して前記蓄電池に充電又は放電させる電力を特定するための第２の情報を生成する第２の処理手段と、
前記蓄電池を制御する蓄電池制御装置に、少なくとも前記第１の情報を送信する通信手段と、を有する制御装置が提供される。【００１２】
また、本発明によれば、
第１のサービスに関連して蓄電池に充電又は放電させる電力を特定するための第１の情報を受信する通信手段と、
前記第１の情報に基づいて、第２のサービスに関連して前記蓄電池に充電又は放電させる電力を特定するための第２の情報を算出する算出手段と、
前記第１の情報と前記第２の情報とに基づいて前記蓄電池を制御する蓄電池制御手段とを有する蓄電池制御装置が提供される。【００１３】
また、本発明によれば、
第１のサービスに関連して蓄電池に充電又は放電させる電力を特定するための第１の情報、及び、前記第１のサービスと並行して行われる第２のサービスに関連して前記蓄電池に充電又は放電させる電力を特定するための第２の情報を受信する通信手段と、
前記第１の情報及び前記第２の情報に基づき、前記蓄電池に充電又は放電させる電力を算出する算出手段と、
前記算出手段により算出された内容で前記蓄電池を制御する蓄電池制御手段と、
を有する蓄電池制御装置が提供される。【００１４】
また、本発明によれば、
前記制御装置と、前記蓄電池制御装置と、を有する制御システムが提供される。【００１５】
また、本発明によれば、
第１の目的で電池部に充電又は放電させる第１の電力を算出し、前記第１の電力と、外部装置から受信した他の目的で前記電池部に充電又は放電させる第２の電力とを足し合わせることで、前記電池部に充電又は放電させる電力を算出する算出手段と、
前記算出手段により算出された内容で前記電池部から充放電させる電池部制御手段と、
を有する電池部制御装置が提供される。【００１６】
また、本発明によれば、
コンピュータが、
第１のサービスに関連して蓄電池に充電又は放電させる電力を特定するための第１の情報を、前記蓄電池における定格出力値に基づいて生成する第１の処理工程と、
前記蓄電池を制御する蓄電池制御装置に、前記第１の情報を送信する通信工程と、
を実行する制御装置の動作方法が提供される。【００１７】
また、本発明によれば、
コンピュータを、
第１のサービスに関連して蓄電池に充電又は放電させる電力を特定するための第１の情報を、前記蓄電池における定格出力値に基づいて生成する第１の処理手段、
前記蓄電池を制御する蓄電池制御装置に、前記第１の情報を送信する通信手段、
として機能させるプログラムが提供される。【００１８】
また、本発明によれば、
コンピュータが、
第１のサービスに関連して蓄電池に充電又は放電させる電力を特定するための第１の情報を生成する第１の処理工程と、
前記第１のサービスと並行して行われる第２のサービスに関連して前記蓄電池に充電又は放電させる電力を特定するための第２の情報を生成する第２の処理工程と、
前記蓄電池を制御する蓄電池制御装置に、少なくとも前記第１の情報を送信する通信工程と、
を実行する制御装置の動作方法が提供される。【００１９】
また、本発明によれば、
コンピュータを、
第１のサービスに関連して蓄電池に充電又は放電させる電力を特定するための第１の情報を生成する第１の処理手段、
前記第１のサービスと並行して行われる第２のサービスに関連して前記蓄電池に充電又は放電させる電力を特定するための第２の情報を生成する第２の処理手段、
前記蓄電池を制御する蓄電池制御装置に、少なくとも前記第１の情報を送信する通信手段、
として機能させるプログラムが提供される。【００２０】
また、本発明によれば、
コンピュータが、
第１のサービスに関連して蓄電池に充電又は放電させる電力を特定するための第１の情報を受信する通信工程と、
前記第１の情報に基づいて、第２のサービスに関連して前記蓄電池に充電又は放電させる電力を特定するための第２の情報を算出する算出工程と、
前記第１の情報と前記第２の情報とに基づいて前記蓄電池を制御する蓄電池制御工程と、
を実行する蓄電池制御装置の動作方法。【００２１】
また、本発明によれば、
コンピュータを、
第１のサービスに関連して蓄電池に充電又は放電させる電力を特定するための第１の情報を受信する通信手段、
前記第１の情報に基づいて、第２のサービスに関連して前記蓄電池に充電又は放電させる電力を特定するための第２の情報を算出する算出手段、
前記第１の情報と前記第２の情報とに基づいて前記蓄電池を制御する蓄電池制御手段、
として機能させるプログラムが提供される。【００２２】
また、本発明によれば、
コンピュータが、
第１のサービスに関連して蓄電池に充電又は放電させる電力を特定するための第１の情報、及び、前記第１のサービスと並行して行われる第２のサービスに関連して前記蓄電池に充電又は放電させる電力を特定するための第２の情報を受信する通信工程と、
前記第１の情報及び前記第２の情報に基づき、前記蓄電池に充電又は放電させる電力を算出する算出工程と、
前記算出工程で算出された内容で前記蓄電池を制御する蓄電池制御工程と、
を実行する蓄電池制御装置の動作方法が提供される。【００２３】
また、本発明によれば、
コンピュータを、
第１のサービスに関連して蓄電池に充電又は放電させる電力を特定するための第１の情報、及び、前記第１のサービスと並行して行われる第２のサービスに関連して前記蓄電池に充電又は放電させる電力を特定するための第２の情報を受信する通信手段、
前記第１の情報及び前記第２の情報に基づき、前記蓄電池に充電又は放電させる電力を算出する算出手段、
前記算出手段により算出された内容で前記蓄電池を制御する蓄電池制御手段、
として機能させるプログラムが提供される。【００２４】
また、本発明によれば、
コンピュータが、
第１の目的で電池部に充電又は放電させる第１の電力を算出し、前記第１の電力と、外部装置から受信した他の目的で前記電池部に充電又は放電させる第２の電力とを足し合わせることで、前記電池部に充電又は放電させる電力を算出する算出工程と、
前記算出工程で算出された内容で前記電池部から充放電させる電池部制御工程と、
を実行する電池部制御装置の動作方法が提供される。【００２５】
また、本発明によれば、
コンピュータを、
第１の目的で電池部に充電又は放電させる第１の電力を算出し、前記第１の電力と、外部装置から受信した他の目的で前記電池部に充電又は放電させる第２の電力とを足し合わせることで、前記電池部に充電又は放電させる電力を算出する算出手段、
前記算出手段により算出された内容で前記電池部から充放電させる電池部制御手段、
として機能させるプログラムが提供される。
【発明の効果】
【００２６】
本発明によれば、蓄電池及び蓄電池のＰＣＳの利用効率を高めることができる。
【図面の簡単な説明】
【００２７】
上述した目的、および、その他の目的、特徴及び利点は、以下に述べる好適な実施の形態、および、それに付随する以下の図面によって、さらに明らかになる。
【図１】本実施形態の装置のハードウエア構成の一例を概念的に示す図である。
【図２】本実施形態の制御システムの機能ブロック図の一例である。
【図３】本実施形態の制御装置の機能ブロック図の一例である。
【図４】本実施形態の制御情報の一例を概念的に示す図である。
【図５】本実施形態の制御情報の一例を概念的に示す図である。
【図６】本実施形態の制御情報の一例を概念的に示す図である。
【図７】本実施形態の蓄電池制御装置の機能ブロック図の一例である。
【図８】本実施形態の蓄電池の制御例を説明するための図である。
【図９】本実施形態の制御システムの機能ブロック図の一例である。
【図１０】本実施形態の制御システムの機能ブロック図の一例である。
【図１１】本実施形態の制御装置の機能ブロック図の一例である。
【図１２】本実施形態の蓄電池の制御例を説明するための図である。
【図１３】本実施形態の制御装置の機能ブロック図の一例である。
【図１４】本実施形態の蓄電池の制御例を説明するための図である。
【図１５】本実施形態の制御装置の機能ブロック図の一例である。
【図１６】本実施形態の蓄電池の制御例を説明するための図である。
【図１７】実施例の制御システムの機能ブロック図の一例である。
【図１８】本実施例の送配電事業者システムの処理の流れの一例を示すフローチャートである。
【図１９】本実施例の小売電気事業者システムの処理の流れの一例を示すフローチャートである。
【図２０】本実施例の制御装置の処理の流れの一例を示すフローチャートである。
【図２１】本実施例の蓄電池制御装置の処理の流れの一例を示すフローチャートである。
【図２２】インバランス回避サービスの実施タイミングを説明するための図である。
【図２３】本実施形態の蓄電池制御装置及び蓄電池の機能ブロック図の一例である。
【図２４】本実施形態の蓄電池制御装置及び蓄電池の機能ブロック図の一例である。
【図２５】本実施形態の制御装置の機能ブロック図の一例である。
【発明を実施するための形態】
【００２８】
まず、本実施形態の装置（制御装置１０、蓄電池制御装置２０、蓄電池３０、送配電事業者システム４０、小売電気事業者システム５０等）のハードウエア構成の一例について説明する。本実施形態の装置が備える各部は、任意のコンピュータのＣＰＵ（Central Processing Unit）、メモリ、メモリにロードされるプログラム、そのプログラムを格納するハードディスク等の記憶ユニット（あらかじめ装置を出荷する段階から格納されているプログラムのほか、ＣＤ（Compact Disc）等の記憶媒体やインターネット上のサーバ等からダウンロードされたプログラムをも格納できる）、ネットワーク接続用インターフェイスを中心にハードウエアとソフトウエアの任意の組合せによって実現される。そして、その実現方法、装置にはいろいろな変形例があることは、当業者には理解されるところである。
【００２９】
図１は、本実施形態の装置のハードウエア構成を例示するブロック図である。図１に示すように、装置は、プロセッサ１Ａ、メモリ２Ａ、入出力インターフェイス３Ａ、周辺回路４Ａ、バス５Ａを有する。周辺回路４Ａには、様々なモジュールが含まれる。なお、周辺回路４Ａを有さなくてもよい。
【００３０】
バス５Ａは、プロセッサ１Ａ、メモリ２Ａ、周辺回路４Ａ及び入出力インターフェイス３Ａが相互にデータを送受信するためのデータ伝送路である。プロセッサ１Ａは、例えばＣＰＵ（Central Processing Unit） やＧＰＵ（Graphics Processing Unit）などの演算処理装置である。メモリ２Ａは、例えばＲＡＭ（Random Access Memory）やＲＯＭ（Read Only Memory）などのメモリである。入出力インターフェイス３Ａは、入力装置（例：キーボード、マウス、マイク等）、外部装置、外部サーバ、外部センサー等から情報を取得するためのインターフェイスや、出力装置（例：ディスプレイ、スピーカ、プリンター、メーラ等）、外部装置、外部サーバ等に情報を出力するためのインターフェイスなどを含む。プロセッサ１Ａは、各モジュールに指令を出し、それらの演算結果をもとに演算を行うことができる。
【００３１】
以下、本実施の形態について説明する。なお、以下の実施形態の説明において利用する機能ブロック図は、ハードウエア単位の構成ではなく、機能単位のブロックを示している。これらの図においては、各装置は１つの機器により実現されるよう記載されているが、その実現手段はこれに限定されない。すなわち、物理的に分かれた構成であっても、論理的に分かれた構成であっても構わない。なお、同一の構成要素には同一の符号を付し、適宜説明を省略する。
【００３２】
また、本明細書において、「取得」とは、自装置が他の装置や記憶媒体に格納されているデータまたは情報を取りに行くこと（能動的な取得）、たとえば、他の装置にリクエストまたは問い合わせして受信すること、他の装置や記憶媒体にアクセスして読み出すこと等、および、自装置に他の装置から出力されるデータまたは情報を入力すること（受動的な取得）、たとえば、配信（または、送信、プッシュ通知等）されるデータまたは情報を受信すること等、の少なくともいずれか一方を含む。また、受信したデータまたは情報の中から選択して取得すること、または、配信されたデータまたは情報を選択して受信することも含む。
【００３３】
＜第１の実施形態＞
本実施形態の制御システムは、一の蓄電池に複数のサービスを並行して実施させるための技術を備える。すなわち、複数のサービス各々に対応した充電及び放電を、同タイミングで一の蓄電池に行わせるための技術を備える。当該技術により、蓄電池及びＰＣＳの利用効率が高まる。以下、詳細に説明する。
【００３４】
最初に、本実施形態の制御システムの全体像及び概要を説明する。図２に本実施形態の制御システムの機能ブロック図の一例を示す。図示するように、制御システムは、制御装置１０と、蓄電池制御装置２０と、蓄電池３０と、送配電事業者システム４０とを有する。各装置の概要を説明する。
【００３５】
蓄電池３０、及び、蓄電池制御装置２０は、需要家に保有される装置である。蓄電池３０は、ＰＣＳ及び電池部を含む。ＰＣＳは、蓄電池制御装置２０からの指示信号に従い、電池部からの放電動作及び電池部への充電動作を行う。ＰＣＳは、蓄電池制御装置２０における蓄電池３０の動作（充放電）を演算する機能を備えてもいい。蓄電池３０の構成は特段制限されず、あらゆる構成を採用できる。
【００３６】
蓄電池制御装置２０は、蓄電池３０の動作（充電及び放電）を制御する。蓄電池制御装置２０は、制御装置１０から受信した蓄電池制御信号に基づき、所定の指示信号を蓄電池３０に入力する。蓄電池制御装置２０の構成は、以下で詳細に説明する。
【００３７】
送配電事業者システム４０は、電力の送配電網を管理する事業者に保有される装置である。送配電事業者システム４０は、送配電網の状態（例：周波数偏差や連系線潮流等）を監視し、必要に応じて送配電網への電力供給を調整する。送配電事業者システム４０は、例えば短周期（例：数分から十数分程度）の変動分を調整するためのＬＦＣ（lord frequency control）信号や、発電機等の故障や事故などの非常時に供給力不足を解消するための予備力信号等の需給制御信号を出力する。
【００３８】
これらの需給制御信号に基づき、火力発電や水力発電等の発電装置の出力調整がなされる。また、本実施形態では、需給制御信号が送配電事業者システム４０から制御装置１０に送信される。制御装置１０は、需給制御信号に基づき蓄電池３０の出力調整（放電及び充電の調整）を行う。
【００３９】
制御装置１０は、事前に登録されている複数の蓄電池３０を利用した複数のサービスを提供する事業者（以下、「リソースアグリゲータ」という））に保有される装置である。本実施形態では、リソースアグリゲータは、アンシラリーサービス、及び、エネルギーマネジメントサービスを提供する。
【００４０】
アンシラリーサービスは、主として送配電事業者に向けたサービスである。制御装置１０は、電力系統の需給バランス調整に関連して、蓄電池３０の充放電を制御する。すなわち、需要過多の場合には、放電し、電力系統に電力を供給する動作を蓄電池３０に実行させる。一方、供給過多の場合には、電力系統から受電し、充電する動作を蓄電池３０に実行させる。このような制御の一例として、ＬＦＣ制御が挙げられる。制御装置１０は、送配電事業者システム４０から需給制御信号（ＬＦＣ信号）を受信すると、それに応じた内容で動作（充電及び放電）させるための蓄電池制御信号を、複数の蓄電池制御装置２０に送信する。蓄電池制御装置２０は、制御装置１０から受信した蓄電池制御信号に基づき、蓄電池３０の動作（充電及び放電）を制御する。これにより、送配電網の需給バランスが保たれる。その他、制御装置１０は、ＧＦ（Governor Free）制御のための動作を蓄電池３０に実行させることができる。
【００４１】
エネルギーマネジメントサービスは、需要家に向けたサービスである。制御装置１０は、電力単価が相対的に安い時間帯に電力を充電し、電力単価が相対的に高い時間帯に電力を放電する充放電動作を蓄電池３０に実行させる。すなわち、制御装置１０は、電力単価が相対的に安い時間帯に電力を充電し、電力単価が相対的に高い時間帯に電力を放電する充放電スケジュールを生成、若しくは、充放電スケジュールを生成するために必要な情報（小売電気事業者のサービスメニューに応じた時間帯毎の電力単価の情報等）を、複数の蓄電池制御装置２０に送信する。蓄電池制御装置２０は、制御装置１０から受信した充放電スケジュール、若しくは、充放電スケジュールを生成するために必要な情報を用いて自身で作成した充放電スケジュールに基づき、蓄電池３０の動作（充電及び放電）を制御する。これにより、需要家が電力会社（小売電気事業者を含む）に支払う電気料金を抑えることができる。
【００４２】
本実施形態では、アンシラリーサービス（第１のサービス）、及び、エネルギーマネジメントサービス（第２のサービス）各々に対応した動作（充電及び放電）を同タイミングで一の蓄電池３０に行わせることができる。制御装置１０及び蓄電池制御装置２０が、このような動作を行わせるための特徴的な構成を備える。以下、制御装置１０及び蓄電池制御装置２０の構成を説明する。
【００４３】
まず、本実施形態の制御装置１０の構成を説明する。図３に本実施形態の制御装置１０の機能ブロック図の一例を示す。図示するように、制御装置１０は、第１のサービス部１と、第２のサービス部２と、制御部１０５と、通信部１０６とを有する。
【００４４】
通信部１０６は、複数の蓄電池制御装置２０と通信し、情報の送受信を行う。
【００４５】
第１のサービス部１は、アンシラリーサービスのための処理を実行する機能部である。第１のサービス部１は、第１のサービスのための情報（例：送配電事業者システム４０から送信される需給制御信号）を受信する第１の受信部１０２と、蓄電池３０の制御内容を特定するための情報を生成する第１の処理部１０１とを有する。第２のサービス部２は、エネルギーマネジメントサービスのための処理を実行する機能部である。第２のサービス部２は、第２のサービスのための情報（例：時間帯毎の電力単価）を受信する第２の受信部１０４と、蓄電池３０の制御内容を特定するための情報を生成する第２の処理部１０３とを有する。
【００４６】
制御部１０５は、第１のサービス部１及び第２のサービス部２を制御する。制御部１０５は、アンシラリーサービスのための出力（充電及び放電）と、エネルギーマネジメントサービスのための出力（充電及び放電）との和が蓄電池３０用のＰＣＳの定格出力値を超えないように制御する。
【００４７】
当該制御を実現するため、制御部１０５は、蓄電池３０に関する情報であって、アンシラリーサービスのための出力の上限、及び、エネルギーマネジメントサービスのための出力の上限を示す制御情報を取得または自身で設定する。アンシラリーサービスのための出力の上限と、エネルギーマネジメントサービスのための出力の上限との和は、蓄電池３０用のＰＣＳの定格出力値以下である。
【００４８】
第１のサービス部１及び第２のサービス部２は、当該制御情報で示される各サービスのための出力の上限を超えないように、各蓄電池３０に充電又は放電を実行させる。結果、アンシラリーサービスのための出力（充電及び放電）と、エネルギーマネジメントサービスのための出力（充電及び放電）との和が蓄電池３０用のＰＣＳの定格出力値を超える不都合を回避できる。
【００４９】
各サービスのための出力の上限は、例えば、蓄電池３０用のＰＣＳの定格出力値を１００％とした割合で示されてもよいし、Ｘ［Ｗ］のように示されてもよい。
【００５０】
各サービスのための出力の上限を示す制御情報は、すべての蓄電池３０に共通であってもよい。また、制御情報は、複数の蓄電池３０各々に対応して個別に設定されてもよい。その他、複数の蓄電池３０をその属性に応じてグループ化し、グループ毎にグループ内で共通の制御情報が設定されてもよい。複数の蓄電池３０各々に対応して個別に設定する場合、また、グループ毎にグループ内で共通の制御情報を設定する場合においては、複数の蓄電池３０各々に対応する制御情報で示される各タイミングでの第１のサービスのための出力の上限の和が所定範囲に収まる、例えば一定となるように設定してもよい。このようにした場合、タイミングに関わらず、第１のサービスのための出力を安定的に確保できる。
【００５１】
また、制御情報は、すべてのタイミングにおいて共通の内容であってもよいし、時間帯毎に異なる内容であってもよい。後者の場合、例えば１日を複数の時間帯に分割し、時間帯毎に各サービスのための出力の上限が決定されてもよい。
【００５２】
図４に、制御情報の一例を模式的に示す。横軸に時刻、縦軸に各サービスに割り振られた蓄電池３０の出力を示す。蓄電池３０の出力は、蓄電池３０用のＰＣＳの定格出力値を１００％とした割合で示している。
【００５３】
図４では、１日分の内容が示されている。図４に示す例の場合、終日、アンシラリーサービス（第１のサービス）のための出力の上限は蓄電池３０用のＰＣＳの定格出力値の３０％であり、エネルギーマネジメントサービス（第２のサービス）のための出力の上限は蓄電池３０用のＰＣＳの定格出力値の７０％であることが分かる。
【００５４】
図５に、他の一例を模式的に示す。図５に示す例の場合、６時から１９時までの時間帯と、１９時から６時までの時間帯との間で、各サービスのための出力の上限が異なっている。このように、各時間帯の属性に応じて、各サービスに蓄電池３０の出力の上限を割り振ってもよい。この６時から１９時や１９時から６時は、これに限定されず時間帯別の電気料金（電力単価）にて設定してもよい。具体的には、電気料金（電力単価）が相対的に安い時間帯と、電気料金（電力単価）が相対的に高い時間帯とに基づいて、各サービスのための出力の上限を異ならせる。
【００５５】
図６に、他の一例を模式的に示す。図６に示す例の場合、アンシラリーサービス（第１のサービス）用に確保された出力と、エネルギーマネジメントサービス（第２のサービス）用に確保された出力と、両サービス間で融通し合うために確保された出力とが存在する。両サービス間で融通し合うために確保された出力は、各タイミング（各時刻）における各サービスの状態や蓄電池３０の状態等に基づき、所定のルールに従い両サービスまたはいずれかのサービスに割り振られる。
【００５６】
例えば、リソースアグリゲータのオペレータが上述のような制御情報を設定し、制御部１０５に入力してもよい。
【００５７】
その他、制御部１０５が制御情報を設定してもよい。例えば、制御部１０５は、蓄電池３０を設置する需要家との契約に基づき、アンシラリーサービス及びエネルギーマネジメントサービスで利用する出力の比率を設定してもよい。また、例えば、制御部１０５は、蓄電池３０を保有する各需要家から、アンシラリーサービス及びエネルギーマネジメントサービスのいずれを優先するか、また、各サービスにかける比率等を示す情報を適当なタイミングで取得してもよい。なお、制御部１０５は、１日を複数の時間帯に分け、時間帯毎に上述のような情報（いずれを優先するか、比率等）を取得または設定してもよい。
【００５８】
そして、制御部１０５は、当該情報、及び、予め定められたルールに基づき、各需要家の蓄電池３０ごとに制御情報を設定してもよい。例えば、制御部１０５は、優先される方のサービスに、より大きい出力上限を決定することができる。この場合の比率は、予め定められたもの（例えば、７：３、６：４等）であってもよい。その他、制御部１０５は、需要家が決定した各サービスにかける比率と同じ比率で、各サービスの出力の上限を決定してもよい。なお、図６に示すような制御情報を設定する場合、例えば、両サービス間で融通し合うための出力（予め定められた値）を除いた出力を、上記比率で両サービスに分けてもよい。時間帯毎に上述のような情報（いずれを優先するか、比率等）が取得されている場合、当該時間毎に、例えば上記と同様にして各サービスの出力の上限を設定することができる。
【００５９】
また、制御部１０５は、第２のサービス（エネルギーマネジメントサービス）のための出力の上限を設定した後に、残りの出力を、第１のサービス（アンシラリーサービス）のための出力に設定してもよい。例えば、制御部１０５は、まず、ある日のエネルギーマネジメントサービスのための充放電スケジュールに基づき、エネルギーマネジメントサービスのための出力の上限を設定してもよい。例えば、制御部１０５は、１日を複数の時間帯に分け、各時間帯における出力（充電又は放電）の最大値（需要家の電力需要予測等に基づきスケジュールされている出力（充電又は放電）の最大値）を特定し、特定した最大値、又は、最大値＋αを、各時間帯のエネルギーマネジメントサービスのための出力上限として設定してもよい。そして、残り（蓄電池３０用のＰＣＳの定格出力値から各時間帯におけるエネルギーマネジメントサービスのための出力上限を引いた値）を、アンシラリーサービスのための出力上限として設定してもよい。
【００６０】
逆に、制御部１０５は、第１のサービス（アンシラリーサービス）のための出力の上限を設定した後に、残りを、第２のサービス（エネルギーマネジメントサービス）のための出力に設定してもよい。第１のサービス（アンシラリーサービス）のための出力の上限を設定する手段は特段制限されない。
【００６１】
なお、上記エネルギーマネジメントサービスのための充放電スケジュールは、電力単価が相対的に安い時間帯に電力を充電し、電力単価が相対的に高い時間帯に電力を放電するよう設計される。このような充放電スケジュールを生成する手段は設計的事項であり、あらゆる技術を採用できる。
【００６２】
ところで、蓄電池３０に２つのサービスを並行して実施させる場合、各サービスで用いる出力［Ｗ］の調整のみならず、各サービスで用いる容量［Ｗｈ］の調整をも検討する必要がある。しかし、並行して実施される２つのサービスが、アンシラリーサービス及びエネルギーマネジメントサービスである本実施形態の場合、各サービスで用いる容量［Ｗｈ］の調整を行う必要性を大幅に低減できる。以下、説明する。
【００６３】
アンシラリーサービスに関連して蓄電池３０を制御した場合、蓄電池３０は充電処理及び放電処理を比較的短い周期で繰り返すこととなる。いずれか一方のみを長時間にわたって継続することは稀である。このため、アンシラリーサービスでの積算充電量［Ｗｈ］と積算放電量［Ｗｈ］との差を時系列に観察すると、ＳＯＣ（State of Charge）の変動は伴うものの、比較的短い時間間隔で繰り返し、当該差が「０」となる時点が現れる。例えば、ＳＯＣの変動幅として±１５％程度のゆらぎ（つまり、充電側に＋１５％程度の範囲でうごき、また放電側に−１５％程度の範囲でうごくといった動作）はあるものの、平均的には積算充電量と積算放電量とを等しくすることができる。なお、蓄電池３０の充放電損失分を補償するようなバイアス制御を含む運用を前提としている。
【００６４】
そして、エネルギーマネジメントサービスにおいては、比較的長い時間（数時間かけて）で、所定量の充電、及び、所定量の放電を達成すればよい。このため、エネルギーマネジメントサービスの目的（比較的長い時間での所定量の充電、及び、所定量の放電）を達成する上で、アンシラリーサービスによる蓄電池３０の充電電力量及び空き容量の変化はほとんど影響しない。すなわち、エネルギーマネジメントサービスの目的を達成する上で、アンシラリーサービスによる蓄電池３０の充電電力量及び空き容量の変化を考慮する必要性は少ないと言える。
【００６５】
また、アンシラリーサービスにおいては、送配電事業者システム４０からの指示に従い各タイミングで所定電力［Ｗ］での放電及び充電を行えればよい。上述の通り充電処理及び放電処理を比較的短い周期で繰り返すアンシラリーサービスの場合、比較的小さい空き容量と、比較的小さい充電電力の両方が蓄電池３０に確保されていれば足りる。そして、充電及び放電を繰り返すエネルギーマネジメントサービスにおいては、ＳＯＣ「０」、及び、ＳＯＣ「１００％」となる時間帯は稀であり、大部分の時間帯で、アンシラリーサービスのために十分な充電電力量と空き容量の両方が蓄電池３０に確保されている。すなわち、アンシラリーサービスを実施する上で、エネルギーマネジメントサービスによる蓄電池３０の充電電力量及び空き容量の変化を考慮する必要性は少ないと言える。
【００６６】
このため、並行して実施される２つのサービスがアンシラリーサービス及びエネルギーマネジメントサービスである本実施形態の場合、２つのサービス間での蓄電池３０の容量の調整等は基本的に不要である。
【００６７】
なお、理論上、エネルギーマネジメントサービスにより、蓄電池３０の容量が、ＳＯＣ「０」や「１００％」となるタイミングが存在し得る。ＳＯＣ「０」の場合、アンシラリーサービスでの放電制御が不可となり、ＳＯＣ「１００％」の場合、アンシラリーサービスでの充電制御が不可となる。
【００６８】
このような状況を回避するため、エネルギーマネジメントサービスで利用可能な蓄電池３０の容量を予め定めておいてもよい。例えば、エネルギーマネジメントサービスで充電できる電力の上限（例：ＳＯＣ９５％まで充電可能）や、エネルギーマネジメントサービスで放電できる電力の上限（例：ＳＯＣ５％まで放電可能）を予め定めておいてもよい。かかる場合、制御部１０５は、エネルギーマネジメントサービスで充放電できる上限及び下限を示す情報をさらに取得または自身で設定する。例えば、リソースアグリゲータのオペレータが決定し、制御部１０５に入力する。そして、第２のサービス部２は、当該情報に基づき、蓄電池３０の動作を制御する。加えて、複数台の蓄電池３０を用いてアンシラリーサービスを実施する場合は、ＳＯＣ「０」又は「１００％」になる時間帯を、蓄電池３０毎に少しずつ、ずらすような運用を第２のサービス部２が行えば（例：第２の処理部１０３は、ＳＯＣが０又は１００％になる時間帯が蓄電池３０毎にずれる第２の情報を生成する。）、全ての時間帯で、継続的にアンシラリーサービスを実施することができる。
【００６９】
次に、第１のサービス部１（図３参照）の構成について説明する。第１のサービス部１は、制御部１０５が取得または自身で設定した制御情報、及び、送配電事業者システム４０から受信した需給制御信号（ＬＦＣ信号等）に基づき、蓄電池３０の動作（充電及び放電）を制御する。第１のサービス部１は、各蓄電池３０の出力電力（充電電力及び放電電力）が、制御情報で特定されるアンシラリーサービスのための出力の上限を超えないように、蓄電池３０の動作を制御する。以下、アンシラリーサービスで実施されるＬＦＣ制御及びＧＦ制御の一例を説明する。
【００７０】
「ＬＦＣ制御の一例」
第１のサービス部１の第１の処理部１０１は、制御部１０５から取得した制御情報に基づき、蓄電池３０ごとに、アンシラリーサービスのための出力上限を特定する。なお、図６に示すようにサービス間で融通する出力が存在する場合、制御部１０５は、サービス間で融通する出力をいずれのサービスに割り振るか決定するための情報（例：需要家毎の契約サービス内容（オール電化等）や、需要家毎の電力需要予測情報等）を収集し、当該情報に基づき当該出力の割り振りを決定する。そして、制御部１０５は、決定した内容を第１のサービス部１及び第２のサービス部２に送信する。第１の処理部１０１は、このように制御部１０５から送信されてきた情報に基づき、アンシラリーサービスのための出力上限を特定する。
【００７１】
第１の処理部１０１は、アンシラリーサービスのための出力上限を特定した後、蓄電池３０ごとに、ＬＦＣ制御のための出力の上限ａｍａｘ＿ｎを特定する（ｎは蓄電池３０の通番）。ａｍａｘ＿ｎは、蓄電池３０用のＰＣＳの定格出力値を１００％とした割合で示されてもよいし、ｘ［Ｗ］のように示されてもよい。
【００７２】
上限ａｍａｘ＿ｎは、制御情報で示されるアンシラリーサービスのための出力上限であってもよいし、アンシラリーサービスのための出力上限をＬＦＣ制御に割り振った値（ＧＦ制御に割り振る分を考慮して）であってもよいし、これらに係数βｎ（βｎは０以上１以下）を掛けた値であってもよい。
【００７３】
係数βｎは、各蓄電池３０の状態（ＳＯＣ、温度、故障や動作異常の起こる可能性）に応じて定まる。例えば、ＳＯＣが所定範囲（例：２０％以上８０％以下）に入っている場合、すなわち充電電力量と空き容量のバランスが良好である場合、入っていない場合に比べて大きい値を決定してもよい。また、温度が所定値より低い場合、所定値より高い場合に比べて大きい値を決定してもよい。また、故障や動作異常及び通信異常の起こる可能性が所定レベルより高いと判断される場合、所定レベルより低いと判断される場合に比べて小さい値を決定してもよい。各蓄電池３０の状態を示す情報から係数βｎを決定するアルゴリズムの詳細は設計的事項である。
【００７４】
通信部１０６は、複数の蓄電池制御装置２０各々から所定周期（例：５分）で、各蓄電池３０の状態を示す情報を収集する。そして、第１の処理部１０１は、当該情報に基づき、所定周期（例：１５分）で蓄電池３０ごとに係数βｎを決定し、決定した係数βｎを用いて上限ａｍａｘ＿ｎを決定する。
【００７５】
各蓄電池３０の上限ａｍａｘ＿ｎを決定した後、第１の処理部１０１は、複数の蓄電池３０各々のａｍａｘ＿ｎを足し合わせたＡｍａｘを算出する。当該Ａｍａｘが、制御装置１０により提供されるＬＦＣ制御（アンシラリーサービス）で対応可能な蓄電池群全体での出力の上限となる。制御装置１０は、所定周期（例：１５分）で当該Ａｍａｘを送配電事業者システム４０に通知する。また、制御装置１０は、所定周期（例：１５分）で、各蓄電池３０に対応して決定したａｍａｘ＿ｎ（蓄電池制御信号）を、対応する蓄電池制御装置２０に送信する。
【００７６】
また、第１の受信部１０２は、送配電事業者システム４０からＬＦＣ信号を所定周期（例：数秒）で繰り返しまたは不定周期で受信する。ＬＦＣ信号には、複数の蓄電池３０で充電又は放電する電力［Ｗ］の指令値が含まれる。送配電事業者システム４０は、制御装置１０から通知されたＡｍａｘ以下の範囲で上記指令値を決定し、制御装置１０に通知する。なお、ＬＦＣ信号は、動作内容（充電及び放電）を識別可能になっている。例えば、充電の時は正の値、放電の時は負の値で示されてもよい。
【００７７】
ＬＦＣ信号がＡｍａｘ以下の範囲での電力［Ｗ］の値として送られてくる場合、ＬＦＣ信号の受信に応じて、第１の処理部１０１は、ＬＦＣ信号で特定される指令値をＡｍａｘで割った値Ｂを算出する。そして、通信部１０６は、算出された当該値Ｂを含む蓄電池制御信号を、複数の蓄電池制御装置２０に一斉送信する。ここでの蓄電池制御信号の送信は、所定周期（例：数秒）で繰り返しまたは不定周期で行われる。一斉送信の実現手段としては、例えばマルチキャスト、ＦＭ通信等を用いたブロードキャスト、その他の手法を用いることもできる。
【００７８】
各蓄電池制御装置２０の算出部２２は、通信部２１が所定周期（例：１５分）で繰り返し受信するａｍａｘ＿ｎと、通信部２１が所定周期（例：数秒）で繰り返しまたは不定周期で受信する値Ｂとに基づき、対応する蓄電池３０の制御内容を算出する。具体的には、蓄電池制御装置２０の算出部２２は、ａｍａｘ＿ｎとＢとの積を、蓄電池３０の出力値（充電又は放電）として算出する。
【００７９】
そして、蓄電池制御装置２０の算出部２２は、算出したＬＦＣ制御のための蓄電池３０の出力（充電又は放電）と、各タイミングにおけるエネルギーマネジメントサービスのための蓄電池３０の出力（充電又は放電）とを足し合わせることで、各タイミングにおける蓄電池３０の出力（充電又は放電）の内容を決定する。なお、算出部２２は、さらに、以下で説明するＧＦ制御のための蓄電池３０の出力（充電又は放電）を足し合わせることで、各タイミングにおける蓄電池３０の出力（充電又は放電）の内容を決定してもよい。そして、蓄電池制御装置２０の蓄電池制御部２３は、算出部２２が決定した内容で蓄電池３０を動作させる。足し合わせる処理においては、充電させる電力及び放電させる電力の一方を正の値で表し、他方を負の値で表すことができる（以下同様）。
【００８０】
当該例の変形例として、送配電事業者システム４０は、複数の蓄電池３０で充電又は放電する電力［Ｗ］の指令値を含むＬＦＣ信号に代えて、指令値をＡｍａｘで割った値Ｂを含むＬＦＣ信号を制御装置１０に送信してもよい。そして、通信部１０６は、当該値Ｂを含む蓄電池制御信号を、複数の蓄電池制御装置２０に一斉送信してもよい。この場合、蓄電池制御装置２０は、ａｍａｘ＿ｎとＢとの積を、蓄電池３０の出力値（充電又は放電）として算出する。
【００８１】
他の変形例として、通信部１０６は、複数の蓄電池制御装置２０に、各蓄電池３０に対応して決定したａｍａｘ＿ｎに加えて、Ａｍａｘを所定周期（例：１５分）で繰り返し送信してもよい。そして、送配電事業者システム４０から、複数の蓄電池３０で充電又は放電する電力［Ｗ］の指令値を含むＬＦＣ信号を受信すると、通信部１０６は、指令値をＡｍａｘで割った値Ｂに代えて、当該指令値を含むＬＦＣ信号を複数の蓄電池制御装置２０に一斉送信してもよい。そして、各蓄電池制御装置２０が、指令値をＡｍａｘで割った値Ｂにａｍａｘ＿ｎを掛けて、蓄電池３０の出力値（充電又は放電）を算出してもよい。
【００８２】
他の変形例として、第１の処理部１０１は、各蓄電池３０に対応して決定したａｍａｘ＿ｎを、Ａｍａｘで割った値ｄｎを算出してもよい。そして、通信部１０６は、ａｍａｘ＿ｎに代えて、ｄｎを、複数の蓄電池制御装置２０に所定周期（例：１５分）で繰り返し送信してもよい。そして、送配電事業者システム４０から、複数の蓄電池３０で充電又は放電する電力［Ｗ］の指令値を含むＬＦＣ信号を受信すると、通信部１０６は、当該指令値を含むＬＦＣ信号を複数の蓄電池制御装置２０に一斉送信してもよい。そして、各蓄電池制御装置２０が、指令値にｄｎを掛けて、蓄電池３０の出力値（充電又は放電）を算出してもよい。
【００８３】
「ＧＦ制御の一例」
第１のサービス部１の第１の処理部１０１は、制御部１０５から取得した制御情報に基づき、蓄電池３０ごとに、アンシラリーサービスのための出力上限を特定する。なお、図６に示すようにサービス間で融通する出力が存在する場合、制御部１０５は、サービス間で融通する出力をいずれのサービスに割り振るか決定するための情報（例：需要家毎の契約サービス内容（オール電化等）や、需要家毎の電力需要予測情報等）を収集し、当該情報に基づき当該出力の割り振りを決定する。そして、制御部１０５は、決定した内容を第１のサービス部１及び第２のサービス部２に送信する。第１の処理部１０１は、このように制御部１０５から送信されてきた情報に基づき、アンシラリーサービスのための出力上限を特定する。
【００８４】
第１の処理部１０１は、アンシラリーサービスのための出力上限を特定した後、蓄電池３０ごとに、ＧＦ制御のための出力の上限ｃｍａｘ＿ｎを特定する（ｎは蓄電池の通番）。ｃｍａｘ＿ｎは、蓄電池３０用のＰＣＳの定格出力値を１００％とした割合で示されてもよいし、ｘ［Ｗ］のように示されてもよい。
【００８５】
上限ｃｍａｘ＿ｎは、制御情報で示されるアンシラリーサービスのための出力上限であってもよいし、アンシラリーサービスのための出力上限をＧＦ制御に割り振った値（ＬＦＣ制御に割り振る分を考慮して）であってもよいし、これらに係数γｎ（γｎは０以上１以下）を掛けた値であってもよい。
【００８６】
係数γｎは、各蓄電池３０の状態（ＳＯＣ、温度、故障や動作異常の起こる可能性）に応じて定まる。例えば、ＳＯＣが所定範囲（例：２０％以上８０％以下）に入っている場合、すなわち充電電力量と空き容量のバランスが良好である場合、入っていない場合に比べて大きい値を決定してもよい。また、温度が所定値より低い場合、所定値より高い場合に比べて大きい値を決定してもよい。また、故障や動作異常及び通信異常の起こる可能性が所定レベルより高いと判断される場合、所定レベルより低いと判断される場合に比べて小さい値を決定してもよい。各蓄電池３０の状態を示す情報から係数γｎを決定するアルゴリズムの詳細は設計的事項である。
【００８７】
通信部１０６は、複数の蓄電池制御装置２０各々から所定周期（例：５分）で、各蓄電池３０の状態を示す情報を収集する。そして、第１の処理部１０１は、当該情報に基づき、所定周期（例：１５分）で蓄電池３０ごとに係数γｎを決定し、決定した係数γｎを用いて上限ｃｍａｘ＿ｎを決定する。
【００８８】
各蓄電池３０の上限ｃｍａｘ＿ｎを決定した後、第１の処理部１０１は、蓄電池３０ごとに、ＧＦ制御の内容を決定する。具体的には、第１の処理部１０１は、各蓄電池３０で充電又は放電する電力［Ｗ］の指令値を、系統周波数の基準値からの乖離の程度に応じて定めたＧＦ制御情報（例：関数、対応テーブル等）を生成する。ＧＦ制御情報においては、出力の最大値が、上限ｃｍａｘ＿ｎ以下となるように定められる。通信部１０６は、複数の蓄電池制御装置２０各々に、各々に対応したＧＦ制御情報を送信する。
【００８９】
各蓄電池制御装置２０の通信部２１は、制御装置１０からＧＦ制御情報を受信する。また、各蓄電池制御装置２０の通信部２１は、自装置の近くに設置された測定サンサー（例：図１７の計量器や蓄電池３０のＰＣＳ内の内蔵センサー）から、系統周波数の測定値を所定周期（例：０．４秒）で繰り返し受信する。そして、各蓄電池制御装置２０の算出部２２は、当該測定値と、予め与えられていた基準値とに基づき、系統周波数の基準値からの乖離を繰り返し算出する。また、各蓄電池制御装置２０の算出部２２は、算出した乖離と、ＧＦ制御情報とに基づき、各タイミングにおける複数の蓄電池３０で充電又は放電する電力［Ｗ］の指令値を特定する。
【００９０】
そして、蓄電池制御装置２０の算出部２２は、算出したＧＦ制御のための蓄電池３０の出力（充電又は放電）と、各タイミングにおけるエネルギーマネジメントサービスのための蓄電池３０の出力（充電又は放電）とを足し合わせることで、各タイミングにおける蓄電池３０の出力（充電又は放電）の内容を決定する。なお、算出部２２は、さらに、上述したＬＦＣ制御のための蓄電池３０の出力（充電又は放電）を足し合わせることで、各タイミングにおける蓄電池３０の出力（充電又は放電）の内容を決定してもよい。そして、蓄電池制御装置２０の蓄電池制御部２３は、決定した内容で蓄電池３０に動作させる。
【００９１】
次に、第２のサービス部２の構成について説明する。第２のサービス部２は、制御部１０５が取得又は自身で設定した制御情報に基づき、蓄電池３０の充放電スケジュール（第２の情報）を決定する。例えば、第２のサービス部２は、前日に、翌日１日分の充放電スケジュールを生成する（第２の処理部１０３）。そして、通信部１０６は、当該充放電スケジュールを各蓄電池制御装置２０に送信する。
【００９２】
第２の処理部１０３は、エネルギーマネジメントサービスのための出力の上限以下を満たす範囲で、充電及び放電させる充放電スケジュールを生成する。また、エネルギーマネジメントサービスで充電可能な電力の上限（例：ＳＯＣ９５％まで充電可能）、及び、放電可能な電力の上限（例：ＳＯＣ５％まで放電可能）が定まっている場合、これを満たす範囲で、充電及び放電させる充放電スケジュールを生成する。
【００９３】
充放電スケジュールの生成方法は特段制限されないが、以下一例を説明する。まず、第２の処理部１０３は、時間帯毎の電力単価（各需要家が電力会社から購入する場合の電力単価。翌日分。）に基づき、充電させる時間帯及び放電させる時間帯を決定することができる。
【００９４】
第２の処理部１０３は、電力単価が相対的に高い時間帯を放電させる時間帯とし、電力単価が相対的に低い時間帯を充電させる時間帯とする。例えば、第２の処理部１０３は、電力単価が所定値より高い時間帯を放電させる時間帯とし、当該所定値以下の時間帯を充電させる時間帯としてもよい。所定値は、例えば、時間帯ごとに設定された電力単価（例：Ｘ１時からＸ２時「Ｙ１円／ｋＷｈ」、Ｘ２時からＸ３時「Ｙ２円／ｋＷｈ」、・・・）の平均値（Ｙ１、Ｙ２、・・・の平均値）であってもよいし、予め第２の処理部１０３に与えられた値であってもよい。
【００９５】
そして、第２の処理部１０３は、エネルギーマネジメントサービスのための出力の上限以下を満たす範囲で、充電させる時間帯に充電させ、かつ、放電させる時間帯に放電させる充放電スケジュールを生成する。なお、これら充放電では、１日をサイクルとして、エネルギーマネジメントサービスで充電可能な電力の上限（例：ＳＯＣ９５％まで充電可能）を超えない範囲で、積算充電量ができるだけ大きくなるのが好ましい。また、エネルギーマネジメントサービスで放電可能な電力の上限（例：ＳＯＣ５％まで放電可能）を超えない範囲で、積算放電量ができるだけ大きくなるのが好ましい。なお、第２の処理部１０３は、ＳＯＣの値が所定の値以下又は所定の値以上になる時間帯が蓄電池３０ごとに異なるように、複数の蓄電池３０各々に対応する第２の情報を生成してもよい。
【００９６】
各蓄電池制御装置２０の通信部２１は、上記充放電スケジュールを受信する（または、時間帯別電力単価の情報やエネルギーマネジメントサービスのための時間帯別の出力の上限値の情報を受信して、算出部２２でスケジュールを生成しても良い。その場合は、生成したスケジュールを、通信部２１から、制御装置１０に送信する）。そして、蓄電池制御装置２０の算出部２２は、当該充放電スケジュールに基づき、各タイミングで蓄電池３０に充電させる電力、及び、放電させる電力を特定する。そして、蓄電池制御装置２０の算出部２２は、各タイミングにおけるエネルギーマネジメントサービスのための蓄電池３０の出力（充電又は放電）と、アンシラリーサービスのための蓄電池３０の出力（充電又は放電）とを足し合わせることで、当該タイミングにおける蓄電池３０の出力（充電又は放電）の内容を決定する。そして、蓄電池制御装置２０の蓄電池制御部２３は、特定した内容で蓄電池３０を動作させる。
【００９７】
ここで、制御装置１０の変形例を説明する。図３に示す例では、各サービス部（第１のサービス部１及び第２のサービス部２）に対応して受信部（第１の受信部１０２及び第２の受信部１０４）を設けているが、これに代えて、複数のサービス部に共通の受信部を設けてもよい。また、図３に示す例では、複数のサービス部に共通の通信部１０６を設けているが、各サービス部に対応して通信部を設けてもよい。当該前提は、以下のすべての実施形態において同様である。
【００９８】
次に、本実施形態の蓄電池制御装置２０の構成を説明する。図７に本実施形態の蓄電池制御装置２０の機能ブロック図の一例を示す。図示するように、蓄電池制御装置２０は、通信部２１と、算出部２２と、蓄電池制御部２３とを有する。
【００９９】
通信部２１は、アンシラリーサービス（第１のサービス）に関する第１の情報、及び、エネルギーマネジメントサービス（第２のサービス）に関する第２の情報を受信する。
【０１００】
例えば、通信部２１は、ＬＦＣ制御に関連して蓄電池３０に充電又は放電させる電力を特定するための第１の情報（例：ａｍａｘ＿ｎ、Ｂ、指令値、Ａｍａｘ、ｄｎ等）を受信することができる。
【０１０１】
また、通信部２１は、ＧＦ制御に関連して蓄電池３０に充電又は放電させる電力を特定するための第１の情報（例：ＧＦ制御情報）や、系統周波数等を受信することができる。例えば、通信部２１は、自装置の近くに設置された測定サンサー（例：図１７の計量器や蓄電池３０のＰＣＳ内の内蔵センサー）から系統周波数を受信することができる。
【０１０２】
また、通信部２１は、エネルギーマネジメントサービスに関連して蓄電池３０に充電又は放電させる電力を特定するための第２の情報（充放電スケジュール、若しくは充放電スケジュールを決定するために必要な情報）を受信することができる。
【０１０３】
なお、通信部２１は、データの輻輳を回避するため、これらの情報各々を受信するための複数の受信部を備えてもよいし、１つの受信部で複数の情報を受信してもよい。また、通信部２１は、データの輻輳を回避するため、各種情報を送信するための複数の送信部を備えてもよいし、１つの送信部で各種情報を送信してもよい。
【０１０４】
算出部２２は、第１の情報及び第２の情報に基づき、蓄電池３０に充電又は放電させる電力を算出する。具体的には、算出部２２は、第１の情報に基づき、アンシラリーサービスに関連して各タイミングで蓄電池３０に充電又は放電させる電力［Ｗ］を特定する。また、算出部２２は、第２の情報に基づき、エネルギーマネジメントサービスに関連して各タイミングで蓄電池３０に充電又は放電させる電力［Ｗ］を特定する。そして、算出部２２は、それらを足し合わせることで、各タイミングで蓄電池３０に充電又は放電させる電力［Ｗ］を特定する。
【０１０５】
図８を用いて算出部２２による処理の概念を説明する。図８では、横軸に時刻、縦軸に蓄電池３０に充電又は放電させる電力（ＰＣＳの制御率）を取ったグラフを示している。図中の「第１向け」は、第１の情報に基づき特定された、アンシラリーサービスに関連して蓄電池３０に充電又は放電させる電力を示す。「第２向け」は、第２の情報に基づき特定された、エネルギーマネジメントンサービスに関連して蓄電池３０に充電又は放電させる電力を示す。
【０１０６】
算出部２２は、蓄電池３０に充電させる電力をプラスの値、蓄電池３０に放電させる電力をマイナスの値とし（逆でもよい）、各タイミングでアンシラリーサービスに関連して蓄電池３０に充電又は放電させる電力を算出している。また、同様にして、各タイミングでエネルギーマネジメントサービスに関連して蓄電池３０に充電又は放電させる電力を算出している。各タイミングで各サービスに関連して蓄電池３０に充電又は放電させる電力を足し合わせることで、各タイミングで蓄電池３０に充電又は放電させる電力が算出される。なお、制御情報に基づき各サービスのための出力が調整されているため、いずれのタイミングにおいても、足し合わせた値が、充電出力の制御率１００％、及び、放電出力の制御率１００％を超えることはない（つまり、ＰＣＳの定格出力を超えることは無い）。
【０１０７】
蓄電池制御部２３は、算出部２２により算出された内容で蓄電池３０を制御する（充電又は放電させる）。
【０１０８】
以上説明した本実施形態によれば、一の蓄電池３０にアンシラリーサービスとエネルギーマネジメントサービスとを並行して同時に実施させることができる。すなわち、両サービス各々に対応した充電及び放電を、同タイミングで一の蓄電池３０に行わせることができる。当該技術により、蓄電池及びＰＣＳの利用効率が高まる。
【０１０９】
また、本実施形態では、事前に、各サービスのためのＰＣＳの出力の上限が定められる。そして、当該上限を満たす範囲で、各サービスでの出力がなされる。このため、各サービスのための出力の和が、蓄電池３０用のＰＣＳの定格出力値を超えるという不都合の発生を抑制できる。
【０１１０】
また、本実施形態では、各サービスのためのＰＣＳの出力の上限を、時間帯毎に変更することができる。このため、各時間帯において優先すべきサービスに、より大きい出力を与えることができる。なお、各サービスのためのＰＣＳ出力の上限値の決定は、制御装置１０側で実施しても良いが、蓄電池制御装置２０側で実施し、その内容を制御装置１０に送る形で実施してもよい。
【０１１１】
また、本実施形態では、アンシラリーサービスと、エネルギーマネジメントサービスとを、一の蓄電池３０に並行して実施させる。上述の通り、これら２つのサービスを組み合わせた本実施形態の場合、蓄電池３０の充電電力量及び空き容量の観点においても不都合なく、両サービスを並行して一の蓄電池３０に実施させることができる。
【０１１２】
なお、時系列に第１の情報を観察すると、第１の情報で特定される「蓄電池３０に充電させる充電電力［Ｗ］の積算量［Ｗｈ］」と、第１の情報で特定される「蓄電池３０に放電させる放電電力［Ｗ］の積算量［Ｗｈ］」とが対応する（互いの値が等しくなる）第１のタイミングが繰り返し現れる。
【０１１３】
また、時系列に第２の情報を観察すると、第２の情報で特定される「蓄電池３０に充電させる充電電力［Ｗ］の積算量［Ｗｈ］」と、第２の情報で特定される「蓄電池３０に放電させる放電電力［Ｗ］の積算量［Ｗｈ］」とが対応する（互いの値が等しくなる）第２のタイミングも繰り返し現れる。
【０１１４】
そして、第１のタイミングが現れる周期と、第２のタイミングが現れる周期とは互いに異なる。具体的には、第１のタイミングが現れる周期は、第２のタイミングが現れる周期よりも短い。このような関係となる第１のサービスと第２のサービスとを並行して実施させる本実施形態においては、蓄電池３０の充電電力量及び空き容量の観点においても不都合なく、両サービスを並行して一の蓄電池３０に実施させることができる。
【０１１５】
ここで、本実施形態の変形例を説明する。なお、当該変形例は以下の実施形態において適用されてもよい。
【０１１６】
「変形例１」
図２５に示すように、制御装置１０は、第２のサービス部２を有さなくてもよい。そして、第１の受信部１０２は、各蓄電池３０用のＰＣＳの定格出力値［Ｗ］を受信し、第１の処理部１０１は、第１のサービスに関連して蓄電池３０に充電又は放電させる電力［Ｗ］を特定するための第１の情報を、各蓄電池３０用のＰＣＳの定格出力値［Ｗ］に基づいて生成してもよい。第１の処理部１０１は、第１のサービスに関連して蓄電池３０に充電又は放電させる電力［Ｗ］が各蓄電池３０用のＰＣＳの定格出力値［Ｗ］未満、例えば定格出力値［Ｗ］のＱ％（０＜Ｑ＜１００）以下となるように、第１の情報を生成する。例えば、第１の処理部１０１は、各蓄電池３０のＬＦＣ制御のための上限ａｍａｘ＿ｎ及びＧＦ制御のための上限ｃｍａｘ＿ｎを、これらの和が各蓄電池３０用のＰＣＳの定格出力値［Ｗ］未満、例えば定格出力値［Ｗ］のＱ％（０＜Ｑ＜１００）以下となるように決定する。そして、通信部１０６は、当該第１の情報を蓄電池制御装置２０に送信する。
【０１１７】
蓄電池制御装置２０は、図７に示すように、通信部２１と、算出部２２と、蓄電池制御部２３とを有する。通信部２１は、第１の情報を受信する。算出部２２は、第１の情報に基づいて、第１のサービスに関連して蓄電池３０に充電又は放電させる電力［Ｗ］を特定する。
【０１１８】
また、算出部２２は、第１の情報及び各蓄電池３０用のＰＣＳの定格出力値［Ｗ］に基づいて、第２のサービスに関連して蓄電池３０に充電又は放電させる電力［Ｗ］を特定する。具体的には、算出部２２は、定格出力値［Ｗ］から第１のサービスに関連して蓄電池３０に充電又は放電させる電力［Ｗ］を引いた値を、第２のサービスに関連して蓄電池３０に充電又は放電させる電力［Ｗ］の最大値として特定する。
【０１１９】
そして、算出部２２は、第２のサービスに関連して蓄電池３０に充電又は放電させる電力［Ｗ］を、当該最大値以下の範囲で決定する。例えば、算出部２２は、上述した第２の処理部１０３と同様の方法で、充電させる時間帯及び放電させる時間帯を決定する。そして、充電させる時間帯においては、上記最大値又はそれに準ずる値で蓄電池３０に充電させることを決定する。一方、放電させる時間帯においては、上記最大値以下の範囲で、「所定の測定センサーで測定されたその時点の負荷の総消費電力［Ｗ］」を、蓄電池３０に放電させることを決定する。
【０１２０】
そして、算出部２２は、第１の情報に基づいて特定した「第１のサービスに関連して蓄電池３０に充電又は放電させる電力［Ｗ］」と、算出した「第２のサービスに関連して蓄電池３０に充電又は放電させる電力［Ｗ］」とを足し合わせることで、蓄電池３０に充電又は放電させる電力［Ｗ］を算出する。
【０１２１】
蓄電池制御部２３は、算出部２２により算出された内容で蓄電池３０を制御する。
【０１２２】
当該変形例の場合、制御装置１０から複数の蓄電池制御装置２０に送信する情報の量を減らす（第２の情報を送信しない分）ことができる。
【０１２３】
「変形例２」
他の変形例を説明する。本変形例の制御装置１０の機能ブロック図の一例は、図３で示される。第１のサービス部１、第２のサービス部２及び制御部１０５の構成は、上述の通りである。通信部１０６は、第１のサービス部１で生成された第１の情報を蓄電池制御装置２０に送信するが、第２のサービス部２で生成された第２の情報を蓄電池制御装置２０に送信しない。
【０１２４】
当該変形例の蓄電池制御装置２０の構成は、変形例１の蓄電池制御装置２０の構成と同様である。
【０１２５】
当該変形例の場合、制御装置１０から複数の蓄電池制御装置２０に送信する情報の量を減らす（第２の情報を送信しない分）ことができる。なお、第２のサービス部２が生成した第２の情報は制御装置１０内で管理され、各蓄電池制御装置２０の制御内容の把握（推測）等に利用される。
【０１２６】
「変形例３」
他の変形例を説明する。本変形例の制御装置１０の機能ブロック図の一例は、図３で示される。
【０１２７】
制御部１０５は、蓄電池３０に関する情報であって、第１のサービスのための出力の上限及び第２のサービスのための出力の上限の少なくとも一方を示す制御情報を取得又は設定する。そして、制御装置１０は、第１のサービス部１の第１の処理部１０１が制御情報に基づき第１の情報を生成する処理、及び、第２のサービス部２の第２の処理部１０３が制御情報に基づき第２の情報を生成する処理の少なくとも一方を行う。第１のサービス部１の第１の処理部１０１が制御情報に基づき第１の情報を生成する処理、及び、第２のサービス部２の第２の処理部１０３が制御情報に基づき第２の情報を生成する処理の詳細は、上述の通りである。
【０１２８】
通信部１０６は、第１の情報及び第２の情報の少なくとも一方（生成された方）を蓄電池制御装置２０に送信する。
【０１２９】
当該変形例の蓄電池制御装置２０の構成は、変形例１の蓄電池制御装置２０の構成と同様である。すなわち、蓄電池制御装置２０は、受信した第１の情報又は第２の情報に基づき、「第１のサービスに関連して蓄電池３０に充電又は放電させる電力［Ｗ］」、及び、「第２のサービスに関連して蓄電池３０に充電又は放電させる電力［Ｗ］」の少なくとも一方を特定する。そして、ＰＣＳの定格出力値から特定した電力を引いた値を、他方のサービスに関連して蓄電池３０に充電又は放電させる電力［Ｗ］の最大値として特定する。その後、算出部２２は、他方のサービスに関連して蓄電池３０に充電又は放電させる電力［Ｗ］を、当該最大値以下の範囲で決定する。
【０１３０】
当該変形例の場合、制御装置１０から複数の蓄電池制御装置２０に送信する情報の量を減らす（第２の情報を送信しない分）ことができる。
【０１３１】
＜第２の実施形態＞
本実施形態は、アンシラリーサービス（第１のサービス）、及び、インバランス回避サービス（第２のサービス）を並行して一の蓄電池３０に実施させる点で、第１の実施形態と異なる。
【０１３２】
インバランス回避サービスは、小売電気事業者に向けたサービスである。小売電気事業者は、自システムの調整による３０分同時同量の達成が困難な場合、リソースアグリゲータに、小売電気事業者が電力供給契約している需要家の有する蓄電池に対して、所定のタイミングで所定量の充電又は放電を依頼する。リソースアグリゲータは、上記依頼に基づき蓄電池３０を制御し、所定のタイミングで所定量の充電又は放電を行わせる。
【０１３３】
ここで、本実施形態の制御システムの全体像を説明する。図９に本実施形態の制御システムの機能ブロック図の一例を示す。図示するように、本実施形態の制御システムは、小売電気事業者システム５０を有する点で第１の実施形態と異なる。
【０１３４】
小売電気事業者システム５０は、小売電気事業者に保有されるシステムである。小売電気事業者システム５０は、自システムの調整による３０分同時同量の達成が困難な場合、制御装置１０に、所定のタイミングでの所定量の充電又は放電を依頼する。
【０１３５】
図３に、本実施形態の制御装置１０の機能ブロック図の一例を示す。図示するように、制御装置１０は、第１のサービス部１と、第２のサービス部２と、制御部１０５、通信部１０６とを有する。
【０１３６】
通信部１０６は、複数の蓄電池制御装置２０と通信し、情報の送受信を行う。
【０１３７】
第１のサービス部１は、アンシラリーサービスのための処理を実行する機能部である。第１のサービス部１は、第１のサービスのための情報（例：送配電事業者システム４０から送信される需給制御信号）を受信する第１の受信部１０２と、蓄電池３０の制御内容を特定するための情報を生成する第１の処理部１０１とを有する。第２のサービス部２は、インバランス回避サービスのための処理を実行する機能部である。第２のサービス部２は、第２のサービスのための情報（例：小売電気事業者システム５０からの充放電依頼）を受信する第２の受信部１０４と、蓄電池３０の制御内容を特定するための情報を生成する第２の処理部１０３とを有する。
【０１３８】
制御部１０５は、第１のサービス部１及び第２のサービス部２を制御する。制御部１０５は、アンシラリーサービスのための出力（充電及び放電）と、インバランス回避サービスのための出力（充電及び放電）との和が蓄電池３０用のＰＣＳの定格出力値を超えないように制御することができる。
【０１３９】
当該制御を実現するため、制御部１０５は、蓄電池３０に関する情報であって、アンシラリーサービスのための出力の上限、及び、インバランス回避サービスのための出力の上限を示す制御情報を取得または自身で設定する。アンシラリーサービスのための出力の上限と、インバランス回避サービスのための出力の上限との和は、蓄電池３０用のＰＣＳの定格出力値以下である。
【０１４０】
第１のサービス部１及び第２のサービス部２は、当該制御情報で示される各サービスに関連して蓄電池３０に充電又は放電させる電力の上限を超えないように、各蓄電池３０の充電又は放電を実行させる。結果、アンシラリーサービスのための出力（充電及び放電）と、インバランス回避サービスのための出力（充電及び放電）との和が蓄電池３０用のＰＣＳの定格出力値を超える不都合を回避できる。
【０１４１】
制御情報の内容は、第１の実施形態と同様である。例えば、リソースアグリゲータのオペレータが制御情報を設定し、制御部１０５に入力してもよい。その他、制御部１０５が制御情報を設定してもよい。制御部１０５が制御情報を設定する処理は、第１の実施形態と同様である。
【０１４２】
ところで、蓄電池３０に２つのサービスを並行して実施させる場合、各サービスで用いる出力［Ｗ］の調整のみならず、各サービスで用いる容量［Ｗｈ］の調整をも検討する必要がある。しかし、並行して実施される２つのサービスが、アンシラリーサービス及びインバランス回避サービスである本実施形態の場合、各サービスで用いる容量［Ｗｈ］の調整を行う必要性を大幅に低減できる。以下、説明する。
【０１４３】
アンシラリーサービスに関連して蓄電池３０を制御した場合、蓄電池３０は充電処理及び放電処理を比較的短い周期で繰り返すこととなる。いずれか一方のみを長時間にわたって継続することは稀である。このため、アンシラリーサービスでの積算充電量［Ｗｈ］と積算放電量［Ｗｈ］との差を時系列に観察すると、ＳＯＣの変動は伴うものの、比較的短い時間間隔で繰り返し、当該差が「０」となる時点が現れる。例えば、ＳＯＣの変動幅として±１５％程度のゆらぎ（つまり、充電側に＋１５％程度の範囲でうごき、また放電側に−１５％程度の範囲でうごくといった動作）はあるものの、平均的には積算充電量と積算放電量とを等しくすることができる。なお、蓄電池３０の充放電損失分を補償するようなバイアス制御を含む運用を前提としている。
【０１４４】
そして、インバランス回避サービスにおいては、比較的長い時間（例えば３０分間）で、所定量の充電、及び、所定量の放電を達成すればよい。このため、インバランス回避サービスの目的（比較的長い時間での所定量の充電、及び、所定量の放電）を達成する上で、アンシラリーサービスによる蓄電池３０の充電電力量及び空き容量の変化はほとんど影響しない。すなわち、インバランス回避サービスの目的を達成する上で、アンシラリーサービスによる蓄電池３０の充電電力量及び空き容量の変化を考慮する必要性は少ないと言える。
【０１４５】
また、インバランス回避サービスにおいては、ＳＯＣ「０」、及び、ＳＯＣ「１００％」とする必要性は低く、むしろ、充電及び放電の両方に対応できるよう、空き容量と充電電力の両方がバランスよく存在するのが好ましい。これは、アンシラリーサービスにおいても同様である。アンシラリーサービスにおいては、送配電事業者システム４０からの指示に従い各タイミングで所定電力［Ｗ］での放電及び充電を行えればよい。上述の通り充電処理及び放電処理を比較的短い周期で繰り返すアンシラリーサービスの場合、比較的小さい空き容量と、比較的小さい充電電力の両方が蓄電池３０に確保されていれば足りる。
【０１４６】
すなわち、インバランス回避サービスのために好ましい充電電力量及び空き容量のバランスを保っておけば、アンシラリーサービスにおいて特段不都合はない。このため、アンシラリーサービスの目的を達成する上で、インバランス回避サービスによる蓄電池３０の充電電力量及び空き容量の変化を考慮する必要性は少ないと言える。
【０１４７】
なお、理論上、インバランス回避サービスにより、蓄電池３０の容量が、ＳＯＣ「０」や「１００％」となるタイミングが存在し得る。ＳＯＣ「０」の場合、アンシラリーサービスでの放電制御が不可となり、ＳＯＣ「１００％」の場合、アンシラリーサービスでの充電制御が不可となる。
【０１４８】
このような状況を回避するため、インバランス回避サービスで利用可能な蓄電池３０の容量を予め定めておいてもよい。例えば、インバランス回避サービスで充電できる電力の上限（例：ＳＯＣ８５％まで充電可能）や、インバランス回避サービスで放電できる電力の上限（例：ＳＯＣ１５％まで放電可能）を予め定めておいてもよい。かかる場合、制御部１０５は、インバランス回避サービスで充放電できる上限及び下限を示す情報（インバランス回避サービスの実施が予定される時刻を起点に３０分間で充電、又は放電できる電力量Ｗｈとその電力量を実現するための出力Ｗの上限、下限の予測・推定値など）をさらに取得する。例えば、リソースアグリゲータのオペレータが決定し、制御部１０５に入力する。そして、第２のサービス部２は、当該情報に基づき、蓄電池３０の動作を制御する。加えて、複数台の蓄電池３０を用いてアンシラリーサービスを実施する場合は、ＳＯＣ「０」又は「１００％」になる時間帯を、蓄電池３０毎に少しずつ、ずらすような運用を第２のサービス部２が行えば（例：第２の処理部１０３は、ＳＯＣが０又は１００％になる時間帯が蓄電池３０毎にずれる第２の情報を生成する。）、全ての時間帯で、継続的にアンシラリーサービスを実施することができる。
【０１４９】
次に、第１のサービス部１及び第２のサービス部２の構成を説明する。第１のサービス部１の構成は、第１の実施形態と同様である。
【０１５０】
第２のサービス部２は、制御部１０５が取得または自身で設定した制御情報、及び、小売電気事業者システム５０から受信する依頼に基づき、蓄電池３０の動作（充電及び放電）を制御する。第２のサービス部２は、各蓄電池３０の出力電力（充電電力及び放電電力）が、制御情報で特定されるインバランス回避サービスのための出力の上限を超えないように、蓄電池３０の動作を制御する。
【０１５１】
例えば、第２の処理部１０３は、複数の蓄電池制御装置２０から所定周期で繰り返し受信する各蓄電池３０の状態（例：ＳＯＣ）を示す情報や、各需要家の現在の電力需要の値（蓄電池の充放電出力を含む）、及び将来の電力需要予測等に基づき、インバランス回避サービスで充電させることができる電力量や放電させることができる電力量等の最新の値、また、将来のインバランス回避サービスの実施が予定される各時間帯の３０分毎の推定値を蓄電池３０ごとに把握する。そして、第２の処理部１０３は、それらを足し合わせることで、複数の蓄電池３０全体で充電させることができる電力量や放電させることができる放電量等の最新の値、また、将来の各時間帯における推定値を算出する。そして、第２の処理部１０３は、各需要家の各時間帯のベースラインの情報を考慮し、全蓄電池群で実施可能なインバランス回避用の電力量［Ｗｈ］の上限値を、各時間帯に対して、算出する。
【０１５２】
制御装置１０は、第２の処理部１０３が算出した上記結果を小売電気事業者システム５０に送信する。小売電気事業者システム５０は、当該情報に基づき、インバランス回避用に期待できる電力量［Ｗｈ］の上限を超えない範囲で、インバランス回避のための依頼（いつ、何Ｗｈ分のインバランス回避用の電力量を要求するか）を行う。
【０１５３】
第２の処理部１０３は、第２の受信部１０４が小売電気事業者システム５０から受信した依頼に基づき、充電又は放電を行う電力量［Ｗｈ］、及び、時間帯を特定する。そして、第２の処理部１０３は、依頼の内容、及び、把握している各蓄電池３０で充電及び／又は放電できる電力量等に基づき、充電又は放電を行わせる蓄電池３０を選択するとともに、各蓄電池３０に充電又は放電させる電力量［Ｗｈ］を決定する。そして、第２の処理部１０３は、決定された電力量を、上記時間帯の中で充電又は放電させる充放電スケジュール（第２の情報）を生成する。そして、通信部１０６は、当該充放電スケジュールを、ベースライン電力の情報とともに、各蓄電池制御装置２０に送信する。
【０１５４】
なお、第２の処理部１０３は、各タイミングにおける充電又は放電させる電力が、制御情報で特定されるインバランス回避サービスのための出力の上限を超えないように、充放電スケジュールを生成する。
【０１５５】
各蓄電池制御装置２０の通信部２１は、インバランス回避サービスのための充放電スケジュール及びベースライン電力の情報を受信する。そして、蓄電池制御装置２０の算出部２２は、当該充放電スケジュールに基づき、各タイミングで蓄電池３０に充電又は放電させる電力を特定する。なお、充放電スケジュールとしては、例えば、１３：００−１３：３０にベースライン電力（例：１．２ｋＷ）を基準に、差分として１ｋＷｈの充電がスケジュールされていたような場合、｛（需要家の負荷が消費する電力＋蓄電池の充電電力）−（ベースライン電力）｝×３０分＝１ｋＷｈ、となるように、蓄電池の充電電力を制御するというスケジュールである。そして、蓄電池制御装置２０の算出部２２は、各タイミングにおけるインバランス回避サービスのための蓄電池３０の出力（充電又は放電）と、アンシラリーサービスのための蓄電池３０の出力（充電又は放電）とを足し合わせることで、当該タイミングにおける蓄電池３０の出力（充電又は放電）の内容を決定する。そして、蓄電池制御装置２０の蓄電池制御部２３は、特定した内容で蓄電池３０に動作させる。
【０１５６】
次に、本実施形態の蓄電池制御装置２０の構成を説明する。図７に本実施形態の蓄電池制御装置２０の機能ブロック図の一例を示す。図示するように、蓄電池制御装置２０は、通信部２１と、算出部２２と、蓄電池制御部２３とを有する。
【０１５７】
通信部２１は、アンシラリーサービス（第１のサービス）に関する第１の情報、及び、インバランス回避サービス（第２のサービス）に関する第２の情報を受信する。通信部２１が受信するアンシラリーサービスに関する第１の情報は、第１の実施形態と同様である。
【０１５８】
例えば、通信部２１は、インバランス回避サービスに関連して蓄電池３０に充電又は放電させる電力を特定するための第２の情報（充放電スケジュール及びベースライン電力の情報）を、間欠的に（小売電気事業者システム５０から依頼がある都度）、繰り返し受信することができる。
【０１５９】
なお、通信部２１は、データの輻輳を回避するため、これらの情報各々を受信するための複数の受信部を備えてもよいし、１つの受信部で複数の情報を受信してもよい。
【０１６０】
算出部２２及び蓄電池制御部２３の構成は、第１の実施形態と同様である。
【０１６１】
以上説明した本実施形態によれば、一の蓄電池３０にアンシラリーサービスとインバランス回避サービスとを並行して実施させることができる。すなわち、両サービス各々に対応した充電及び放電を、同タイミングで一の蓄電池３０に行わせることができる。当該技術により、蓄電池及びＰＣＳの利用効率が高まる。
【０１６２】
また、本実施形態では、事前に、各サービスのためのＰＣＳの出力の上限が定められる。そして、当該上限を満たす範囲で、各サービスでの出力がなされる。このため、各サービスのための出力の和が、蓄電池３０用のＰＣＳの定格出力値を超えるという不都合の発生を抑制できる。
【０１６３】
また、本実施形態では、各サービスのためのＰＣＳの出力の上限を、時間帯毎に変更することができる。このため、各時間帯において優先すべきサービスに、より大きい出力を与えることができる。
【０１６４】
また、本実施形態では、アンシラリーサービスと、インバランス回避サービスとを、一の蓄電池３０に並行して実施させる。上述の通り、これら２つのサービスを組み合わせた本実施形態の場合、蓄電池３０の充電電力量及び空き容量の観点においても不都合なく、両サービスを並行して一の蓄電池３０に実施させることができる。
【０１６５】
なお、本実施形態では、アンシラリーサービス用のＰＣＳの出力を必ず確保する手法を説明したが、時間帯に応じたサービスの優先順位の状況や需要家の負荷の状態によっては、どちらか一方の出力を止めたり、一方を止めたうえで、止めなかった方のサービス用の出力を増したりすることも可能である。
【０１６６】
例えば、インバランス回避サービスを実施する時間帯において、蓄電池制御装置２０が、他の機器が電力を使用するであろうため、蓄電池３０の充電を増やすとブレーカが落ちるといった不具合を想定した際、それが起きる可能性を示す情報（例：需要家内の総消費電力と、所定値との差が所定レベルより小さくなったことを示す情報）を、需要家側の任意の装置から制御装置１０へ送信するようにする。
【０１６７】
当該情報の受信に応じて、制御装置１０は、インバランス回避サービス時間帯での、アンシラリーサービスを当該需要家の蓄電池３０では実施しないことを決定し、その情報を当該需要家の蓄電池制御装置２０へ送信する。蓄電池制御装置２０は、当該情報に従い、当該時間帯ではインバランス回避サービスに基づいた充放電のみを蓄電池３０に実施させる。その際、インバランス回避サービス用の上限出力を蓄電池３０用のＰＣＳの定格出力値まで上昇させる。インバランス回避用の充放電では、蓄電池制御装置２０がローカルに負荷の電力消費をモニタしながら出力を決定できるため、ブレーカが落ちない範囲で、充放電出力を制御でき、上限出力を上げることで、所定の時間内（３０分）で、所望のＷｈの電力量を達成すれば良いという、インバランス回避において、所望のＷｈ値を、短時間で達成できるため、その後は、インバランス回避サービスを停止し、アンシラリーサービスを再開することが可能になる。
【０１６８】
このように、制御装置１０の制御部１０５は、第１のサービス及び第２のサービスの内の一方の実施を停止させることを決定することができる。そして、通信部１０６は、第１のサービス及び第２のサービスの内の一方の実施を停止させ信号を蓄電池制御装置２０に送信することができる。
【０１６９】
また、制御部１０５、第１のサービス及び第２のサービスの内の一方の実施を停止させ、他方の出力の上限を引き上げることを決定することができる。そして、第１のサービスの出力の上限を引き上げられた場合、第１の処理部１０１は、引き上げられた出力の上限に基づき第１の情報を生成することができる。一方、第２のサービスの出力の上限を引き上げられた場合、第２の処理部１０３は、引き上げられた出力の上限に基づき第２の情報を生成することができる。
【０１７０】
＜第３の実施形態＞
本実施形態は、アンシラリーサービス（第１のサービス）、及び、余剰電力吸収サービス（第２のサービス）を並行して一の蓄電池３０に実施させる点で、第１及び第２の実施形態と異なる。
【０１７１】
余剰電力吸収サービスは、自然エネルギー（例：太陽光）を利用した発電装置等を保有する発電事業者に向けたサービスである。発電事業者は、送配電事業者から出力抑制の要請（電力系統への逆潮流の抑制）を受けると、リソースアグリゲータに、当該出力抑制を回避するための充電を依頼する。リソースアグリゲータは、上記依頼に基づき蓄電池３０を制御し、所定のタイミングで充電を行わせる。
【０１７２】
出力抑制の要請では、抑制する時間帯（例：翌日１日、翌日の１３時から１６時等）が定められる。抑制する量は、例えば、出力「０」である場合や、出力の上限（定格出力の○○％）を単位時間帯（例：３０分）毎に定められる場合などが考えらえる。
【０１７３】
ここで、本実施形態の制御システムの全体像を説明する。図１０に本実施形態の制御システムの機能ブロック図の一例を示す。図示するように、本実施形態の制御システムは、発電事業者システム６０を有する点で第１の実施形態と異なる。
【０１７４】
発電事業者システム６０は、発電事業者に保有されるシステムである。発電事業者システム６０は、送配電事業者システム４０から翌日分の出力抑制の要請を受信すると、それを制御装置１０に送信し、抑制された分の充電を依頼する。また、発電事業者システム６０は、翌日分の発電予測を算出し、制御装置１０に送信してもよい。発電予測は、翌日の属性（天気、気温等）等に基づき算出される。発電予測の算出方法の詳細は設計的事項である。
【０１７５】
図３に、本実施形態の制御装置１０の機能ブロック図の一例を示す。図示するように、制御装置１０は、第１のサービス部１と、第２のサービス部２と、制御部１０５、通信部１０６とを有する。
【０１７６】
通信部１０６は、複数の蓄電池制御装置２０と通信し、情報の送受信を行う。
【０１７７】
第１のサービス部１は、アンシラリーサービスのための処理を実行する機能部である。第１のサービス部１は、第１のサービスのための情報（例：送配電事業者システム４０から送信される需給制御信号）を受信する第１の受信部１０２と、蓄電池３０の制御内容を特定するための情報を生成する第１の処理部１０１とを有する。第２のサービス部２は、余剰電力吸収サービスのための処理を実行する機能部である。第２のサービス部２は、第２のサービスのための情報（例：送配電事業者システム４０からの充電依頼、発電予測）を受信する第２の受信部１０４と、蓄電池３０の制御内容を特定するための情報を生成する第２の処理部１０３とを有する。
【０１７８】
制御部１０５は、第１のサービス部１及び第２のサービス部２を制御する。制御部１０５は、アンシラリーサービスのための出力（充電及び放電）と、余剰電力吸収サービスのための出力（充電及び放電）との和が蓄電池３０用のＰＣＳの定格出力値を超えないように制御することができる。
【０１７９】
制御部１０５は、蓄電池３０に関する情報であって、アンシラリーサービスのための出力の上限、及び、余剰電力吸収サービスのための出力の上限を示す制御情報を取得又は自身で設定する。アンシラリーサービスのための出力の上限と、余剰電力吸収サービスのための出力の上限との和は、蓄電池３０用のＰＣＳの定格出力値以下である。
【０１８０】
第１のサービス部１及び第２のサービス部２は、当該制御情報で示される各サービスに関連して蓄電池３０に充電又は放電させる電力の上限を超えないように、各蓄電池３０の充電又は放電を実行させる。結果、アンシラリーサービスのための出力（充電及び放電）と、余剰電力吸収サービスのための出力（充電及び放電）との和が蓄電池３０用のＰＣＳの定格出力値を超える不都合を回避できる。
【０１８１】
制御情報の内容は、第１の実施形態と同様である。例えば、リソースアグリゲータのオペレータが制御情報を設定し、制御部１０５に入力してもよい。その他、制御部１０５が制御情報を設定してもよい。制御部１０５が制御情報を設定する処理は、第１の実施形態と同様である。
【０１８２】
ところで、蓄電池３０に２つのサービスを並行して実施させる場合、各サービスで用いる出力［Ｗ］の調整のみならず、各サービスで用いる容量［Ｗｈ］の調整をも検討する必要がある。しかし、並行して実施される２つのサービスが、アンシラリーサービス及び余剰電力吸収サービスである本実施形態の場合、各サービスで用いる容量［Ｗｈ］の調整を行う必要性を大幅に低減できる。以下、説明する。
【０１８３】
アンシラリーサービスに関連して蓄電池３０を制御した場合、蓄電池３０は充電処理及び放電処理を比較的短い周期で繰り返すこととなる。いずれか一方のみを長時間にわたって継続することは稀である。このため、アンシラリーサービスでの積算充電量［Ｗｈ］と積算放電量［Ｗｈ］との差を時系列に観察すると、ＳＯＣの変動は伴うものの、比較的短い時間間隔で繰り返し、当該差が「０」となる時点が現れる。例えば、ＳＯＣの変動幅として±１５％程度のゆらぎ（つまり、充電側に＋１５％程度の範囲でうごき、また放電側に−１５％程度の範囲でうごくといった動作）はあるものの、平均的には積算充電量と積算放電量とを等しくすることができる。なお、蓄電池の充放電損失分を補償するようなバイアス制御を含む運用を前提としている。
【０１８４】
そして、余剰電力吸収サービスにおいては、比較的長い時間（例えば１時間）で、所定量の充電を達成すればよい。このため、余剰電力吸収サービスの目的（比較的長い時間での所定量の充電）を達成する上で、アンシラリーサービスによる蓄電池３０の充電電力量及び空き容量の変化はほとんど影響しない。すなわち、余剰電力吸収サービスの目的を達成する上で、アンシラリーサービスによる蓄電池３０の充電電力量及び空き容量の変化を考慮する必要性は少ないと言える。
【０１８５】
また、アンシラリーサービスにおいては、送配電事業者システム４０からの指示に従い各タイミングで所定電力［Ｗ］での放電及び充電を行えればよい。上述の通り充電処理及び放電処理を比較的短い周期で繰り返すアンシラリーサービスの場合、比較的小さい空き容量と、比較的小さい充電電力の両方が蓄電池３０に確保されていれば足りる。例えば、余剰電力吸収サービスで充電可能な電力の上限を予め定めておく（例：ＳＯＣ９５％まで充電可能）ことで、余剰電力吸収サービスによる蓄電池３０の空き容量及び充電電力の変化はアンシラリーサービスに影響しない。この例の場合、制御部１０５は、余剰電力吸収サービスで充電できる上限を示す情報をさらに取得する。例えば、リソースアグリゲータのオペレータが決定し、制御部１０５に入力する。そして、第２のサービス部２は、当該情報に基づき、蓄電池３０の動作を制御する。
【０１８６】
次に、第１のサービス部１及び第２のサービス部２の構成を説明する。第１のサービス部１の構成は、第１の実施形態と同様である。
【０１８７】
第２のサービス部２は、制御部１０５が取得または自身で設定した制御情報、及び、発電事業者システム６０から受信する依頼に基づき、蓄電池３０の動作（充電及び放電）を制御する。第２のサービス部２は、各蓄電池３０の出力電力（充電電力）が、制御情報で特定される余剰電力吸収サービスのための出力の上限を超えないように、蓄電池３０の動作を制御する。
【０１８８】
例えば、第２の処理部１０３は、送配電事業者システム４０から発電事業者６０に送信された出力抑制の要請、及び、各発電事業者システム６０から受信した翌日の発電予測に基づき、各タイミングで抑制する必要がある電力、すなわち各タイミングで複数の蓄電池３０に充電させる電力を算出する。そして、第２の処理部１０３は、各タイミングで複数の蓄電池３０に充電させる電力を複数の蓄電池３０に割り振ることで、複数の蓄電池３０各々の充電スケジュールを生成する。
【０１８９】
なお、制御装置１０は、発電事業者システム６０から発電予測を受信する処理に代えて、自装置で発電予測を算出してもよい。
【０１９０】
また、制御装置１０は、複数の発電事業者システム６０各々から依頼を受けた場合、複数の発電事業者各々に対応して各タイミングで充電させる電力を算出した後、それらを足し合わせることで、各タイミングで複数の蓄電池３０に充電させる電力を算出することができる。そして、第２の処理部１０３は、各タイミングで複数の蓄電池３０に充電させる電力を複数の蓄電池３０に割り振ることで、複数の蓄電池３０各々の充電スケジュールを生成することができる。
【０１９１】
なお、第２の処理部１０３は、各蓄電池３０に充電させる電力が、余剰電力吸収サービスのための出力の上限を超えないように、各蓄電池３０の充電スケジュールを決定する。
【０１９２】
各蓄電池制御装置２０の通信部２１は、余剰電力吸収サービスのための充電スケジュールを受信する。そして、蓄電池制御装置２０の算出部２２は、当該充電スケジュールに基づき、各タイミングで蓄電池３０に充電させる電力を特定する。そして、蓄電池制御装置２０の算出部２２は、各タイミングにおける余剰電力吸収サービスのための蓄電池３０の出力（充電）と、アンシラリーサービスのための蓄電池３０の出力（充電又は放電）とを足し合わせることで、当該タイミングにおける蓄電池３０の出力（充電又は放電）の内容を決定する。そして、蓄電池制御装置２０の蓄電池制御部２３は、特定した内容で蓄電池３０を動作させる。
【０１９３】
次に、本実施形態の蓄電池制御装置２０の構成を説明する。図７に本実施形態の蓄電池制御装置２０の機能ブロック図の一例を示す。図示するように、蓄電池制御装置２０は、通信部２１と、算出部２２と、蓄電池制御部２３とを有する。
【０１９４】
通信部２１は、アンシラリーサービス（第１のサービス）に関する第１の情報、及び、余剰電力吸収サービス（第２のサービス）に関する第２の情報を受信する。通信部２１が受信するアンシラリーサービスに関する第１の情報は、第１及び第２の実施形態と同様である。
【０１９５】
例えば、通信部２１は、余剰電力吸収サービスに関連して蓄電池３０に充電させる電力を特定するための第２の情報（充電スケジュール）を、所定周期（例：１日）で繰り返し受信することができる。
【０１９６】
なお、通信部２１は、データの輻輳を回避するため、これらの情報各々を受信するための複数の受信部を備えてもよいし、１つの受信部で複数の情報を受信してもよい。また、通信部２１は、データの輻輳を回避するため、各種情報を送信するための複数の送信部を備えてもよいし、１つの送信部で各種情報を送信してもよい。
【０１９７】
算出部２２及び蓄電池制御部２３の構成は、第１及び第２の実施形態と同様である。
【０１９８】
以上説明した本実施形態によれば、一の蓄電池３０にアンシラリーサービスと余剰電力吸収サービスとを並行して実施させることができる。すなわち、両サービス各々に対応した充電及び放電を、同じタイミングで一の蓄電池３０に行わせることができる。当該技術により、蓄電池及びＰＣＳの利用効率が高まる。
【０１９９】
また、本実施形態では、事前に、各サービスのためのＰＣＳの出力の上限が定められる。そして、当該上限を満たす範囲で、各サービスでの出力がなされる。このため、各サービスのための出力の和が、蓄電池３０用のＰＣＳの定格出力値を超えるという不都合の発生を抑制できる。
【０２００】
また、本実施形態では、各サービスのためのＰＣＳの出力の上限を、時間帯毎に変更することができる。このため、各時間帯において優先すべきサービスに、より大きい出力を与えることができる。
【０２０１】
また、本実施形態では、アンシラリーサービスと、余剰電力吸収サービスとを、一の蓄電池３０に並行して実施させる。上述の通り、これら２つのサービスを組み合わせた本実施形態の場合、蓄電池３０の充電電力量及び空き容量の観点においても不都合なく、両サービスを並行して位置の蓄電池３０に実施させることができる。
【０２０２】
なお、第１乃至第３の実施形態において、アンシラリーサービスと並行して行わせる第２のサービスを、エネルギーマネジメントサービス、インバランス回避サービス及び余剰電力吸収サービスとする例を説明したが、その他、節電サービス等ネガワットのデマンドレスポンスや、ピークカットを行うエネルギーマネジメントサービス等としても同様の作用効果を実現できる。
【０２０３】
ピークカットを行うエネルギーマネジメントサービスにおいては、第２の受信部１０４は、所定の対象（各電力需要家、複数の電力需要家を含む電力需要家群等）における消費電力［Ｗ］の瞬時値や、直近の単位時間における消費電力量［Ｗｈ］、又は、これらの予測値等である監視対象を受信する。そして、第２の処理部１０３は、監視対象の値に基づき、蓄電池３０に所定電力［Ｗ］で放電させる第２の情報を生成する。例えば、第２の処理部１０３は、監視対象の値が所定の閾値を超えた場合、放電させる第２の情報を生成する。放電電力［Ｗ］は、所定の閾値を上回った程度に応じて決定してもよい。
【０２０４】
＜第４の実施形態＞
本実施形態は、アンシラリーサービス（第１のサービス）、及び、エネルギーマネジメントサービス（第２のサービス）を並行して一の蓄電池３０に実施させるとともに、エネルギーマネジメントサービス（第２のサービス）と選択的にインバランス回避サービス（第３のサービス）を実施させる点で、第１乃至第３の実施形態と異なる。
【０２０５】
ここで、本実施形態の制御システムの全体像を説明する。図９に本実施形態の制御システムの機能ブロック図の一例を示す。
【０２０６】
小売電気事業者システム５０からインバランス回避サービスのための充電及び放電の依頼がない間、蓄電池制御装置２０は、アンシラリーサービスのための充電又は放電と、エネルギーマネジメントサービスのための充電又は放電とを蓄電池３０に実施させる。この間、インバランス回避サービスのための充電及び放電は実施されない。
【０２０７】
そして、小売電気事業者システム５０からインバランス回避サービスのための充電又は放電の依頼があると、蓄電池制御装置２０は、アンシラリーサービスのための充電又は放電と、インバランス回避サービスのための充電又は放電とを蓄電池３０に実施させる。この間、エネルギーマネジメントサービスのための充電及び放電は実施されない。
【０２０８】
このように、小売電気事業者システム５０からインバランス回避サービスのための充電及び放電の依頼がない間は、エネルギーマネジメントサービス（第２のサービス）を実施させ、当該依頼があると、インバランス回避サービス（第３のサービス）を優先的に実施させる。いずれが実施させられている間も、アンシラリーサービス（第１のサービス）の実施は継続する。
【０２０９】
図１１に、本実施形態の制御装置１０の機能ブロック図の一例を示す。図示するように、制御装置１０は、第１のサービス部１と、第２のサービス部２と、第３のサービス部３と、制御部１０５、通信部１０６とを有する。
【０２１０】
通信部１０６は、複数の蓄電池制御装置２０と通信し、情報の送受信を行う。
【０２１１】
第１のサービス部１は、アンシラリーサービスのための処理を実行する機能部である。第１のサービス部１は、第１のサービスのための情報（例：送配電事業者システム４０から送信される需給制御信号）を受信する第１の受信部１０２と、蓄電池３０の制御内容を特定するための情報を生成する第１の処理部１０１とを有する。第２のサービス部２は、エネルギーマネジメントサービスのための処理を実行する機能部である。第２のサービス部２は、第２のサービスのための情報（例：時間帯毎の電力単価）を受信する第２の受信部１０４と、蓄電池３０の制御内容を特定するための情報を生成する第２の処理部１０３とを有する。第３のサービス部３は、インバランス回避サービスのための処理を実行する機能部である。第３のサービス部３は、第３のサービスのための情報（例：小売電気事業者システム５０からの充放電依頼）を受信する第３の受信部１０６と、蓄電池３０の制御内容を特定するための情報を生成する第３の処理部１０７とを有する。
【０２１２】
制御部１０５は、第１のサービス部１、第２のサービス部２及び第３のサービス部３を制御する。制御部１０５は、アンシラリーサービスのための出力（充電及び放電）と、エネルギーマネジメントサービスのための出力（充電及び放電）との和が蓄電池３０用のＰＣＳの定格出力値を超えないように制御することができる。また、制御部１０５は、アンシラリーサービスのための出力（充電及び放電）と、インバランス回避サービスのための出力（充電及び放電）との和が蓄電池３０用のＰＣＳの定格出力値を超えないように制御することができる。
【０２１３】
当該制御を実現するため、制御部１０５は、蓄電池３０に関する情報であって、アンシラリーサービスのための出力の上限、及び、エネルギーマネジメントサービスのための出力の上限を示す制御情報を取得または自身で設定する。アンシラリーサービスのための出力の上限と、エネルギーマネジメントサービスのための出力の上限との和は、蓄電池３０用のＰＣＳの定格出力値以下である。
【０２１４】
第１のサービス部１及び第２のサービス部２は、当該制御情報で示される各サービスに関連して蓄電池３０に充電又は放電させる電力の上限を超えないように、各蓄電池３０の充電又は放電を実行させる。また、第３のサービス部３は、当該制御情報で示されるエネルギーマネジメントサービス（第２のサービス）に関連して蓄電池３０に充電又は放電させる電力の上限を超えないように、各蓄電池３０に充電又は放電を実行させる。
【０２１５】
結果、アンシラリーサービスのための出力（充電及び放電）と、エネルギーマネジメントサービスのための出力（充電及び放電）との和が蓄電池３０用のＰＣＳの定格出力値を超える不都合を回避できる。また、アンシラリーサービスのための出力（充電及び放電）と、インバランス回避サービスのための出力（充電及び放電）との和が蓄電池３０用のＰＣＳの定格出力値を超える不都合を回避できる。
【０２１６】
制御情報の内容は、第１乃至第３の実施形態と同様である。例えば、リソースアグリゲータのオペレータが制御情報を設定し、制御部１０５に入力してもよい。その他、制御部１０５が制御情報を設定してもよい。制御部１０５が制御情報を設定する処理は、第１乃至第３の実施形態と同様である。
【０２１７】
第１のサービス部１及び第２のサービス部２の構成は、第１乃至第３の実施形態と同様である。
【０２１８】
第３のサービス部３は、制御部１０５が取得または自身で設定した制御情報、及び、小売電気事業者システム５０から受信する依頼に基づき、蓄電池３０の動作（充電及び放電）を制御する。第３のサービス部３の構成は、第２の実施形態で説明した第２のサービス部２の構成と同様である。なお、第３の処理部１０７は、インバランス回避サービス（第３のサービス）のための出力（充電又は放電）が、制御情報で示されるエネルギーマネジメントサービス（第２のサービス）のための出力の上限を超えないように、充放電スケジュール（第３の情報）を生成する。
【０２１９】
図７に本実施形態の蓄電池制御装置２０の機能ブロック図の一例を示す。図示するように、蓄電池制御装置２０は、通信部２１と、算出部２２と、蓄電池制御部２３とを有する。
【０２２０】
通信部２１は、アンシラリーサービス（第１のサービス）に関する第１の情報、エネルギーマネジメントサービス（第２のサービス）に関する第２の情報、及び、インバランス回避サービス（第３のサービス）に関する第３の情報を受信する。通信部２１が受信する各サービスに関する情報は、上記実施形態で説明した通りである。
【０２２１】
通信部２１は、アンシラリーサービスに関連して蓄電池３０に充電又は放電させる電力を特定するための第１の情報を、所定周期で繰り返し受信する。そして、算出部２２は、当該第１の情報に基づき、アンシラリーサービスに関連して蓄電池３０に充電又は放電させる電力を繰り返し特定する。
【０２２２】
また、通信部２１は、エネルギーマネジメントサービスに関連して蓄電池３０に充電又は放電させる電力を特定するための第２の情報（例：１日分の充放電スケジュール）を受信する。そして、算出部２２は、当該第２の情報に基づき、エネルギーマネジメントサービスに関連して各タイミングで蓄電池３０に充電又は放電させる電力を特定する。
【０２２３】
また、通信部２１は、インバランス回避サービスに関連して蓄電池３０に充電又は放電させる電力を特定するための第３の情報（例：１日よりも短い所定時間分の充放電スケジュール）を、間欠的に受信する。そして、算出部２２は、当該第３の情報に基づき、インバランス回避サービスに関連して所定時間帯に蓄電池３０に充電又は放電させる電力を特定する。
【０２２４】
算出部２２は、上記第１乃至第３の情報に基づき特定した各サービスに関連して蓄電池３０に充電又は放電させる電力に基づき、各タイミングで蓄電池３０に充電又は放電させる電力を特定する。
【０２２５】
具体的には、算出部２２は、インバランス回避サービスに関連して所定時間帯に蓄電池３０に充電又は放電させる電力を特定した場合、当該所定時間帯においては、アンシラリーサービスに関連して蓄電池３０に充電又は放電させる電力と、インバランス回避サービスに関連して蓄電池３０に充電又は放電させる電力とを足し合わせることで、各タイミングにおける蓄電池３０の出力（充電又は放電）の内容を決定する。そして、蓄電池制御部２３は、決定した内容で蓄電池３０に動作させる。
【０２２６】
一方、算出部２２は、インバランス回避サービスに関連して蓄電池３０に充電又は放電させる電力が特定されていない時間帯においては、アンシラリーサービスに関連して蓄電池３０に充電又は放電させる電力と、エネルギーマネジメントサービスに関連して蓄電池３０に充電又は放電させる電力とを足し合わせることで、各タイミングにおける蓄電池３０の出力（充電又は放電）の内容を決定する。そして、蓄電池制御部２３は、決定した内容で蓄電池３０に動作させる。
【０２２７】
すなわち、算出部２２は、同じタイミングで蓄電池３０に充電又は放電させるための第１の情報、第２の情報及び第３の情報を受信した場合、第１の情報及び第３の情報に基づき、当該タイミングで蓄電池３０に充電又は放電させる電力を算出する。
【０２２８】
図１２に、算出部２２による処理の概念を示す。図１２では、横軸に時刻、縦軸に蓄電池３０に充電又は放電させる電力（ＰＣＳの制御率）を取ったグラフを示している。図中の「第１向け」は、第１の情報に基づき特定された、アンシラリーサービスに関連して蓄電池３０に充電又は放電させる電力を示す。「第２向け」は、第２の情報に基づき特定された、エネルギーマネジメントンサービスに関連して蓄電池３０に充電又は放電させる電力を示す。「第３向け」は、第３の情報に基づき特定された、インバランス回避サービスに関連して蓄電池３０に充電又は放電させる電力を示す。図より、アンシラリーサービスとエネルギーマネジメントサービス、及び、アンシラリーサービスとインバランス回避サービスは並行して実施され、エネルギーマネジメントサービスとインバランス回避サービスは選択的に実施されることが分かる。
【０２２９】
なお、ここでは、第３のサービスを優先的に実施させる例を説明したが、制御装置１０は、その都度、いずれを優先させるか決定し、決定した方を優先させてもよい。例えば、制御装置１０は、各サービス実施時の需要家やリソースアグリゲータの収益を考慮し、より高い収益がリソースアグリゲータ側で期待できる方を優先させてもよいし、需要家側で期待できる方を優先させてもよいし、又は、リソースアグリゲータと需要家の契約内容にも基づき定まる方を優先させてもよい。しかし、選択の手法はこれに限ったものではない。
【０２３０】
例えば、制御装置１０は、第２のサービス及び第３のサービスいずれを優先させるか決定すると（制御部１０５）、決定内容を蓄電池制御装置２０に送信する（通信部１０６）。蓄電池制御装置２０は、受信した決定内容で優先される方を優先して、蓄電池３０の充放電の内容を決定する。すなわち、通信部２１が同じタイミングで蓄電池３０に充電又は放電させるための第１の情報、第２の情報及び第３の情報を受信した場合、算出部２２は、第１の情報と、優先させる方のサービスに関する情報（第２の情報又は第３の情報）に基づき、当該タイミングで蓄電池３０に充電又は放電させる電力を算出する。
【０２３１】
以上説明した本実施形態によれば、第１乃至第３の実施形態と同様の作用効果を実現できる。また、本実施形態によれば、３つのサービスを一度に蓄電池３０に実施させることができる。このため、蓄電池３０の利用効率がさらに高まる。
【０２３２】
本実施形態の変形例を説明する。インバランス回避サービスが実施されると、蓄電池３０の充電電力量及び空き容量が変化する。当該変化は、エネルギーマネジメントサービスに影響し得る。そこで、第２の処理部１０３は、インバランス回避サービスの実施に応じて、第２の情報（充放電スケジュール）を生成し直してもよい（更新する）。具体的には、第２の処理部１０３は、インバランス回避サービス終了時点の蓄電池３０の充電電力量及び空き容量を、例えば各蓄電池制御装置２０から受信した情報（蓄電池３０の最新のＳＯＣ等）に基づき把握する。そして、現時点が放電させる時間帯である場合、放電させる時間帯の残りの時間で、現時点の充電電力量を放電させる充放電スケジュールを生成する。一方、現時点が充電させる時間帯である場合、充電させる時間帯の残りの時間で、現時点の空き容量分を充電させる充放電スケジュールを生成する。
【０２３３】
すなわち、第２の処理部１０３は、インバランス回避サービスの実施が終了した時点が第２の情報（充放電スケジュール）で定められる放電時間帯である場合、インバランス回避サービスの実施が終了した時点の蓄電池３０の充電電力量を残りの放電時間帯で放電する充放電スケジュール（第２の情報）を新たに生成する。
【０２３４】
また、第２の処理部１０３は、インバランス回避サービスの実施が終了した時点が第２の情報で定められる充電時間帯である場合、インバランス回避サービスの実施が終了した時点の蓄電池３０の空き容量分を残りの充電時間帯で充電する充放電スケジュール（第２の情報）を新たに生成する。
【０２３５】
当該変形例によれば、インバランス回避サービスの実施による蓄電池３０の充電電力量及び空き容量の変化がエネルギーマネジメントサービスに及ぼす影響を軽減することができる。
【０２３６】
また、本実施形態の変形例として、第２のサービスを第３の実施形態で説明した余剰電力吸収サービスとしてもよい。この場合も、同様の作用効果を実現できる。
【０２３７】
＜第５の実施形態＞
本実施形態は、アンシラリーサービス（第１のサービス）、及び、エネルギーマネジメントサービス（第２のサービス）を並行して一の蓄電池３０に実施させるとともに、他のすべてのサービスを停止した状態で単独で行われる緊急対応サービス（第４のサービス）を実施させる点で、第１乃至第４の実施形態と異なる。
【０２３８】
ここで、本実施形態の制御システムの全体像を説明する。図２に本実施形態の制御システムの機能ブロック図の一例を示す。
【０２３９】
送配電事業者システム４０は、緊急時（例：発電機停止等）に、蓄電池３０から電力系統に放電させる信号（予備力信号）を送信する。制御装置１０は、送配電事業者システム４０から予備力信号を受信すると、それを複数の蓄電池制御装置２０に送信する。蓄電池制御装置２０は、予備力信号を受信すると、他のサービスの実施を停止し、優先的に、予備力信号に基づいた放電を蓄電池３０に行わせる。
【０２４０】
図１３に、本実施形態の制御装置１０の機能ブロック図の一例を示す。図示するように、制御装置１０は、第１のサービス部１と、第２のサービス部２と、第４のサービス部４と、制御部１０５、通信部１０６とを有する。
【０２４１】
通信部１０６は、複数の蓄電池制御装置２０と通信し、情報の送受信を行う。
【０２４２】
第１のサービス部１は、アンシラリーサービスのための処理を実行する機能部である。第１のサービス部１は、第１のサービスのための情報（例：送配電事業者システム４０から送信される需給制御信号）を受信する第１の受信部１０２と、蓄電池３０の制御内容を特定するための情報を生成する第１の処理部１０１とを有する。第２のサービス部２は、エネルギーマネジメントサービスのための処理を実行する機能部である。第２のサービス部２は、第２のサービスのための情報（例：時間帯毎の電力単価）を受信する第２の受信部１０４と、蓄電池３０の制御内容を特定するための情報を生成する第２の処理部１０３とを有する。第４のサービス部４は、緊急対応サービスのための処理を実行する機能部である。第４のサービス部４は、第４のサービスのための情報（例：予備力信号）を受信する第４の受信部１１０と、蓄電池３０の制御内容を特定するための情報を生成する第４の処理部１０９とを有する。
【０２４３】
第１のサービス部１及び第２のサービス部２の構成は、第１乃至第４の実施形態と同様である。
【０２４４】
第４のサービス部４は、各蓄電池３０の出力電力（充電電力及び放電電力）が、定格出力を超えないように、蓄電池３０の動作を制御する。
【０２４５】
例えば、第４の処理部１０９は、複数の蓄電池制御装置２０から所定周期で繰り返し受信する各蓄電池３０の状態（例：ＳＯＣ）を示す情報とＰＣＳの定格出力の情報（定格出力以下のある出力での放電での継続時間を推定する）に基づき、緊急対応サービスで放電させることができる電力量を蓄電池３０ごとに把握する。
【０２４６】
そして、第４の処理部１０９は、複数の蓄電池３０各々の上記電力量を足し合わせることで、複数の蓄電池３０で放電させることができる電力量を算出する。その後、第４の処理部１０９は、当該電力量に基づき、複数の蓄電池３０で対応可能な最大放電出力と、継続時間を算出する。そして、制御装置１０は、当該情報を送配電事業者システム４０に送信する。
【０２４７】
送配電事業者システム４０は、緊急時（例：発電機停止等）、事前に通知された最大放電出力及び継続時間を超えない範囲で、蓄電池３０から電力系統に放電させる信号（予備力信号）を制御装置１０に送信する。予備力信号としては例えば、出力Ｗ値と、継続時間である（継続時間は、予備力信号の形式であらかじめ設定しておいてもよい。例えば、瞬動予備力信号として定めた形式では、１０分、運転予備力信号として定めた形式では３時間等である）。第４の処理部１０９は、当該予備力信号に従った動作を行わせる蓄電池制御信号を各蓄電池制御装置２０に送信する。蓄電池制御信号としては例えば、各蓄電池で放電すべき出力Ｗ値であり、このＷ値は、上記継続時間を考慮して決定される。蓄電池制御装置２０は、蓄電池制御信号に基づき、蓄電池３０の動作を制御する。この制御は、予備力制御を停止する旨の信号がくるまで継続する。
【０２４８】
このように、第４の処理部１０９は、緊急対応サービスに関連して蓄電池３０に充電又は放電させる電力を特定するための第４の情報を生成する。例えば、第４の処理部１０９は、蓄電池３０用のＰＣＳの定格出力値を緊急対応サービスのための出力の上限として、第４の情報を生成することができる。そして、通信部１０６は、蓄電池制御装置２０に、第４の情報を送信する。
【０２４９】
図７に本実施形態の蓄電池制御装置２０の機能ブロック図の一例を示す。図示するように、蓄電池制御装置２０は、通信部２１と、算出部２２と、蓄電池制御部２３とを有する。
【０２５０】
通信部２１は、アンシラリーサービス（第１のサービス）に関する第１の情報、エネルギーマネジメントサービス（第２のサービス）に関する第２の情報、及び、緊急対応サービス（第４のサービス）に関する第４の情報を受信する。通信部２１が受信する各サービスに関する情報は、上述の通りである。
【０２５１】
算出部２２は、アンシラリーサービス（第１のサービス）に関する第１の情報、及び、エネルギーマネジメントサービス（第２のサービス）に関する第２の情報に基づき、各タイミングで蓄電池３０に充電又は放電させる電力を特定する。また、算出部２２は、緊急対応サービス（第４のサービス）に関する第４の情報に基づき、各タイミングで蓄電池３０に充電又は放電させる電力を特定する。
【０２５２】
通信部２１は、緊急対応サービスに関する第４の情報を、間欠的に受信する。そして、算出部２２は、通信部２１が第４の情報を受信した場合、第４のサービスに関する第４の情報に基づき、各タイミングで蓄電池３０に充電又は放電させる電力を特定する。
【０２５３】
すなわち、通信部２１が、同じタイミングで蓄電池３０に充電又は放電させるための第１の情報、第２の情報、及び、第４の情報を受信した場合、算出部２２は、第４の情報に基づき、当該タイミングで蓄電池３０に充電又は放電させる電力を算出する。そして、蓄電池制御部２３は、決定した内容で蓄電池３０に動作させる。すなわち、蓄電池制御部２３は、他のサービスのための充放電を停止し、第４のサービスのための充放電のみを蓄電池３０に実行させる。
【０２５４】
図１４に、算出部２２による処理の概念を示す。図１４では、横軸に時刻、縦軸に蓄電池３０に充電又は放電させる電力（ＰＣＳの制御率）を取ったグラフを示している。図中の「第１向け」は、第１の情報に基づき特定された、アンシラリーサービスに関連して蓄電池３０に充電又は放電させる電力を示す。「第２向け」は、第２の情報に基づき特定された、エネルギーマネジメントンサービスに関連して蓄電池３０に充電又は放電させる電力を示す。「第４向け」は、第４の情報に基づき特定された、緊急対応サービスに関連して蓄電池３０に充電又は放電させる電力を示す。図より、アンシラリーサービスとエネルギーマネジメントサービスは並行して実施されることが分かる。また、緊急対応サービスが実施されている間は、アンシラリーサービス及びエネルギーマネジメントサービスが停止することが分かる。
【０２５５】
以上説明した本実施形態によれば、第１乃至第４の実施形態と同様の作用効果を実現できる。また、本実施形態によれば、３つのサービスを一度に蓄電池３０に実施させることができる。このため、蓄電池３０の利用効率がさらに高まる。
【０２５６】
本実施形態の変形例として、第２のサービスを、インバランス回避サービス又は余剰電力吸収サービスに置き代えてもよい。この場合も、同様の作用効果を実現できる。
【０２５７】
＜第６の実施形態＞
本実施形態は、アンシラリーサービス（第１のサービス）、及び、エネルギーマネジメントサービス（第２のサービス）を並行して一の蓄電池３０に実施させ、エネルギーマネジメントサービス（第２のサービス）と選択的にインバランス回避サービス（第３のサービス）を実施させるとともに、他のすべてのサービスを停止した状態で単独で行われる緊急対応サービス（第４のサービス）を実施させる点で、第１乃至第５の実施形態と異なる。
【０２５８】
ここで、本実施形態の制御システムの機能ブロック図の一例は図９で示される。
【０２５９】
図１５に、本実施形態の制御装置１０の機能ブロック図の一例を示す。図示するように、制御装置１０は、第１のサービス部１と、第２のサービス部２と、第３のサービス部３と、第４のサービス部４と、制御部１０５、通信部１０６とを有する。
【０２６０】
通信部１０６は、複数の蓄電池制御装置２０と通信し、情報の送受信を行う。
【０２６１】
第１のサービス部１は、アンシラリーサービスのための処理を実行する機能部である。第１のサービス部１は、第１のサービスのための情報（例：送配電事業者システム４０から送信される需給制御信号）を受信する第１の受信部１０２と、蓄電池３０の制御内容を特定するための情報を生成する第１の処理部１０１とを有する。第２のサービス部２は、エネルギーマネジメントサービスのための処理を実行する機能部である。第２のサービス部２は、第２のサービスのための情報（例：時間帯毎の電力単価）を受信する第２の受信部１０４と、蓄電池３０の制御内容を特定するための情報を生成する第２の処理部１０３とを有する。
【０２６２】
第３のサービス部３は、インバランス回避サービスのための処理を実行する機能部である。第３のサービス部３は、第３のサービスのための情報（例：小売電気事業者システム５０からの充放電依頼）を受信する第３の受信部１０６と、蓄電池３０の制御内容を特定するための情報を生成する第３の処理部１０７とを有する。第４のサービス部４は、緊急対応サービスのための処理を実行する機能部である。第４のサービス部４は、第４のサービスのための情報（例：予備力信号）を受信する第４の受信部１１０と、蓄電池３０の制御内容を特定するための情報を生成する第４の処理部１０９とを有する。
【０２６３】
第１のサービス部１乃至第４のサービス部４の構成は、第１乃至第５の実施形態と同様である。
【０２６４】
図７に本実施形態の蓄電池制御装置２０の機能ブロック図の一例を示す。図示するように、蓄電池制御装置２０は、通信部２１と、算出部２２と、蓄電池制御部２３とを有する。
【０２６５】
通信部２１は、アンシラリーサービス（第１のサービス）に関する第１の情報、エネルギーマネジメントサービス（第２のサービス）に関する第２の情報、インバランス回避サービス（第３のサービス）に関する第３の情報、及び、緊急対応サービス（第４のサービス）に関する第４の情報を受信する。通信部２１が受信する各サービスに関する情報は、上述の通りである。
【０２６６】
算出部２２は、アンシラリーサービス（第１のサービス）に関する第１の情報、及び、エネルギーマネジメントサービス（第２のサービス）に関する第２の情報に基づき、各タイミングで蓄電池３０に充電又は放電させる電力を特定する。また、算出部２２は、アンシラリーサービス（第１のサービス）に関する第１の情報、及び、インバランス回避サービス（第３のサービス）に関する第３の情報に基づき、各タイミングで蓄電池３０に充電又は放電させる電力を特定する。そして、蓄電池制御部２３は、決定した内容で蓄電池３０に動作させる。算出部２２による当該処理は、第４の実施形態で説明した通りである。
【０２６７】
通信部２１は、緊急対応サービスに関する第４の情報を、間欠的に受信する。そして、算出部２２は、通信部２１が第４の情報を受信した場合、第４のサービスに関する第４の情報に基づき、各タイミングで蓄電池３０に充電又は放電させる電力を特定する。すなわち、通信部２１が、同じタイミングで蓄電池３０に充電又は放電させるための第１の情報、第２の情報、第３の情報、及び、第４の情報を受信した場合、算出部２２は、第４の情報に基づき、当該タイミングで蓄電池３０に充電又は放電させる電力を算出する。そして、蓄電池制御部２３は、決定した内容で蓄電池３０に動作させる。すなわち、蓄電池制御部２３は、他のサービスのための充放電を停止し、第４のサービスのための充放電のみを蓄電池３０に実行させる。
【０２６８】
また、算出部２２は、同じタイミングで蓄電池３０に充電又は放電させるための第１の情報、第２の情報及び第３の情報を受信し、当該タイミングで蓄電池３０に受電又は放電させるための第４の情報を受信していない場合、第１の情報及び第３の情報に基づき、当該タイミングで蓄電池３０に充電又は放電させる電力を算出する。
【０２６９】
また、算出部２２は、同じタイミングで蓄電池３０に充電又は放電させるための第１の情報及び第２の情報を受信し、当該タイミングで蓄電池３０に受電又は放電させるための第３の情報及び第４の情報を受信していない場合、第１の情報及び第２の情報に基づき、当該タイミングで蓄電池３０に充電又は放電させる電力を算出する。
【０２７０】
図１６に、算出部２２による処理の概念を示す。図１６では、横軸に時刻、縦軸に蓄電池３０に充電又は放電させる電力（ＰＣＳの制御率）を取ったグラフを示している。図中の「第１向け」は、第１の情報に基づき特定された、アンシラリーサービスに関連して蓄電池３０に充電又は放電させる電力を示す。「第２向け」は、第２の情報に基づき特定された、エネルギーマネジメントンサービスに関連して蓄電池３０に充電又は放電させる電力を示す。
【０２７１】
「第３向け」は、第３の情報に基づき特定された、インバランス回避サービスに関連して蓄電池３０に充電又は放電させる電力を示す。「第４向け」は、第４の情報に基づき特定された、緊急対応サービスに関連して蓄電池３０に充電又は放電させる電力を示す。
【０２７２】
図より、アンシラリーサービスとエネルギーマネジメントサービス、及び、アンシラリーサービスとインバランス回避サービスは並行して実施され、エネルギーマネジメントサービスとインバランス回避サービスは選択的に実施されることが分かる。また、緊急対応サービスが実施されている間は、アンシラリーサービス、エネルギーマネジメントサービス及びインバランス回避サービスが停止することが分かる。
【０２７３】
以上説明した本実施形態によれば、第１乃至第５の実施形態と同様の作用効果を実現できる。また、本実施形態によれば、４つのサービスを一度に蓄電池３０に実施させることができる。このため、蓄電池３０の利用効率がさらに高まる。
【０２７４】
本実施形態の変形例として、第２のサービスを、余剰電力吸収サービスに置き代えてもよい。この場合も、同様の作用効果を実現できる。
【０２７５】
＜第７の実施形態＞
本実施形態は、蓄電池制御装置２０及び蓄電池３０側の構成が第１乃至第６の実施形態と異なる。制御装置１０の構成は、第１乃至第６の実施形態と同様である。
【０２７６】
図２３に、本実施形態の蓄電池制御装置２０及び蓄電池３０の機能ブロック図の一例を示す。蓄電池制御装置２０は、通信部２１及び送信部２４を有する。
【０２７７】
通信部２１の構成は、第１乃至第６の実施形態と同様である。送信部２４は、通信部２１が受信した情報、すなわち、「算出部２２による蓄電池３０に充電又は放電させる電力を算出する処理」に用いられる情報を、蓄電池３０のＰＣＳ（電池部制御装置）３２に送信する。
【０２７８】
蓄電池３０は、ＰＣＳ３２と電池部３３とを有する。電池部３３は、ＰＣＳ３２の制御に従い、電力を充電し、また、電力を放電する機能を有する。電池部３３の構成は特段制限されず、あらゆる構成を採用できる。
【０２７９】
ＰＣＳ３２は、算出部２２と電池部制御部３１とを有する。算出部２２の構成は、第１乃至第６の実施形態で説明した蓄電池制御装置２０が備える算出部２２と同様である。すなわち、算出部２２は、蓄電池制御装置２０から送信されてきた情報に基づき、電池部３３（蓄電池３０）に充電又は放電させる電力を算出する。電池部制御部３１は、算出部２２が算出した内容で、電池部３３から充放電させる。ＰＣＳ３２は、ＧＦ制御のための系統周波数（測定値）を、自装置内の内蔵センサーで測定してもよいし、測定センサー（例：図１７の計量器）から直接又は蓄電池制御装置２０を経由して受信してもよい。
【０２８０】
なお、ＰＣＳ３２は、蓄電池制御装置２０内に備えられてもよい。
【０２８１】
以上説明した本実施形態によれば、第１乃至第６の実施形態と同様な作用効果を実現できる。
【０２８２】
＜第８の実施形態＞
本実施形態は、蓄電池制御装置２０及び蓄電池３０側の構成が第１乃至第７の実施形態と異なる。制御装置１０の構成は、第１乃至第７の実施形態と同様である。
【０２８３】
図２４に、本実施形態の蓄電池制御装置２０及び蓄電池３０の機能ブロック図の一例を示す。蓄電池制御装置２０は、通信部２１、算出部２２−１及び送信部２４を有する。
【０２８４】
通信部２１の構成は、第１乃至第６の実施形態と同様である。算出部２２−１は、第１乃至第６の実施形態で説明した算出部２２が行う処理の一部を実行する。送信部２４は、通信部２１が受信した情報、すなわち、「算出部２２による蓄電池３０に充電又は放電させる電力を算出する処理」に用いられる情報を、蓄電池３０のＰＣＳ（電池部制御装置）３２に送信する。また、送信部２４は、算出部２２−１が算出した結果をＰＣＳ３２に送信する。
【０２８５】
蓄電池３０は、ＰＣＳ３２と電池部３３とを有する。電池部３３は、ＰＣＳ３２の制御に従い、電力を充電し、また、電力を放電する機能を有する。電池部３３の構成は特段制限されず、あらゆる構成を採用できる。
【０２８６】
ＰＣＳ３２は、算出部２２−２と電池部制御部３１とを有する。算出部２２−２は、第１乃至第６の実施形態で説明した算出部２２が行う処理の一部を実行する。すなわち、算出部２２は、蓄電池制御装置２０から送信されてきた情報に基づき、電池部３３（蓄電池３０）に充電又は放電させる電力を算出する。電池部制御部３１は、算出部２２が算出した内容で、電池部３３から充放電させる。
【０２８７】
本実施形態では、第１乃至第６の実施形態で蓄電池制御装置２０の算出部２２が行っていた算出処理を、蓄電池制御装置２０の算出部２２−１とＰＣＳ３２の算出部２２−２とで分担する。
【０２８８】
例えば、算出部２２−２は、アンシラリーサービスのＧＦ制御に関連して電池部３３（蓄電池３０）に充電又は放電させる電力を算出する。ＰＣＳ３２は、ＧＦ制御のための系統周波数（測定値）を、自装置内の内蔵センサーで測定してもよいし、測定センサー（例：図１７の計量器）から直接又は蓄電池制御装置２０を経由して受信してもよい。
【０２８９】
そして、算出部２２−１は、アンシラリーサービスのＬＦＣ制御に関連して電池部３３（蓄電池３０）に充電又は放電させる電力を算出する。また、算出部２２−１は、第２乃至第４のサービスに関連して電池部３３（蓄電池３０）に充電又は放電させる電力を算出する。
【０２９０】
そして、ＰＣＳ３２における算出部２２−２は、蓄電池制御装置２０における算出部２２−１が算出した電池部３３（蓄電池３０）に充電又は放電させる電力（例：ＬＦＣ制御のための充電又は放電させる電力）と、自身が算出した電池部３３（蓄電池３０）に充電又は放電させる電力（例：ＧＦ制御のための充電又は放電させる電力）とを足し合わせることで、電池部３３（蓄電池３０）に充電又は放電させる電力を算出する。
【０２９１】
すなわち、算出部２２−２は、第１の目的（ＧＦ制御）で電池部３３（蓄電池３０）に充電又は放電させる第１の電力を算出する。また、算出部２２−２は、ＰＣＳ３２が外部装置（蓄電池制御装置２０）から受信した他の目的（ＬＦＣ制御、第２のサービス、及び、第３のサービスの中の１つまたは複数）で電池部３３（蓄電池３０）に充電又は放電させる１つ又は複数の第２の電力を取得する。そして、算出部２２−２は、第１の電力と、１つ又は複数の第２の電力とを足し合わせることで、電池部３３（蓄電池３０）に充電又は放電させる電力を算出する。
【０２９２】
なお、ここで例示した分担方法はあくまで一例であり、その他の態様で算出処理を分担してもよい。また、ＰＣＳ３２は、蓄電池制御装置２０内に備えられてもよい。
【０２９３】
以上説明した本実施形態によれば、第１乃至第７の実施形態と同様な作用効果を実現できる。
【０２９４】
＜実施例＞
図１７に、本実施例の制御システムの全体像を示す。図中、「一般送配電事業者」に対応して表示されている「中央給電指令所・再エネ・監視制御システム」が、上記実施形態で説明した送配電事業者システム４０に対応する。また、「小売電気事業者」に対応して表示されている「電力需給管理・制御システム」が、上記実施形態で説明した小売電気事業者システム５０に対応する。また、「ＲＡ（リソースアグリゲータ）」に対応して表示されている「需給管理システム・需給制御システム」が、上記実施形態で説明した制御装置１０に対応する。また、「各需要家」に対応して表示されている「エッジ端末＋ローカル制御装置」が、上記実施形態で説明した蓄電池制御装置２０に対応する。
【０２９５】
図中、主たる情報の流れを示している。図示する「ローカルループ」では、蓄電池３０の状態（ＳＯＣ、温度等）を示す情報が所定周期で繰り返し、ローカル制御装置に取得される。また、「グローバルループ」では、蓄電池３０の状態（ＳＯＣ、温度等）を示す情報が所定周期で繰り返し、各需要家からＲＡに送信される。
【０２９６】
図１８のフローチャートを用いて、中央給電指令所・再エネ・監視制御システム（送配電事業者システム４０）の処理の流れの一例を説明する。
【０２９７】
Ｓ１０では、送配電事業者システム４０は、アンシラリーサービスの実施情報や予備力容量を繰り返し受信する（Ｓ１０）。アンシラリーサービスの実施情報は、複数の蓄電池３０各々のａｍａｘ＿ｎを足し合わせたＡｍａｘとして、ＬＦＣ制御向けの最大出力やＧＦ制御向けの最大出力、ＬＦＣ制御やＧＦ制御のパフォーマンス情報（制御精度や遅延等を適当な指標で評価した情報）等である。予備力容量は、第５の実施形態で説明した複数の蓄電池３０で対応可能な最大放電出力と継続時間等である。
【０２９８】
Ｓ１１では、送配電事業者システム４０は、ＬＦＣ信号を送信する。すなわち、送配電事業者システム４０は、アンシラリーサービスの実施情報や送配電網の状態（例：周波数偏差等を示す情報やＡＲ（エリアリクワイアメント）等）に基づき、ＬＦＣ信号を生成し、制御装置１０に送信する。
【０２９９】
また、送配電事業者システム４０は、異常（発電機停止等）の発生を検知した場合（Ｓ１２のＹｅｓ）、蓄電池３０から電力を放電させる（送配電網に逆潮流させる）予備力信号を制御装置１０に送信する（Ｓ１３）。
【０３００】
図１９のフローチャートを用いて、小売電気事業者システム５０の処理の流れの一例を説明する。
【０３０１】
Ｓ２０では、小売電気事業者システム５０は、電力需要の予測値を受信（または自身で電力需要予測を実施）し、一方でインバランス容量を受信する。インバランス容量は、インバランス回避サービスに関連して複数の蓄電池３０全体で充電させることができる電力量や放電させることができる放電量等の最新の値、また、将来の各時間帯における推定値の算出結果である。
【０３０２】
Ｓ２１では、小売電気事業者システム５０は、電力需要予測結果と電力需要計画値とを比較し、所定値以上の差（=インバランス量）があるか判断する（Ｓ２１）。
【０３０３】
所定値以上の差がない場合（Ｓ２１のＮｏ）、Ｓ２０に戻り最新の値を取得する。所定値以上の差がある場合（Ｓ２１のＹｅｓ）、小売電気事業者システム５０はインバランス抑制の依頼を実施するか判断する（Ｓ２２）。具体的には、小売電気事業者システム５０は、Ｓ２１で算出した差の大きさや、インバランス発生時のペナルティ（料金）と需要家の蓄電池を用いてインバランス回避した際に需要家へ支払うインセンティブ（料金）とを比較し、制御装置１０から通知されているインバランス容量等に基づき、依頼を実施するか否かを判断する。
【０３０４】
実施しない場合（Ｓ２２のＮｏ）、Ｓ２０に戻り処理を繰り返す。実施する場合（Ｓ２２のＹｅｓ）、小売電気事業者システム５０は、所定の時間帯に所定量を充電又は放電する依頼を制御装置１０に送信する（Ｓ２３）。
【０３０５】
図２０のフローチャートを用いて、制御装置１０の処理の流れの一例を説明する。
【０３０６】
Ｓ３０では、制御装置１０は、小売電気事業者システム５０からＬＦＣ信号を受信する。Ｓ３１では、制御装置１０は、ＬＦＣ信号を規格化値へ変換する。ＬＦＣ信号を規格化値へ変換する処理は、例えば、第１の実施形態で説明した「ＬＦＣ信号で特定される指令値をＡｍａｘで割り、値Ｂを算出する処理」に相当する。Ｓ３２では、制御装置１０は、すべての蓄電池制御装置２０に規格化ＬＦＣ信号を送信する。送信は不定期、若しくは送信周期ＴｂでありＴｂは、例えば数秒程度である。
【０３０７】
Ｓ４２では、制御装置１０は、送配電事業者システム４０から予備力信号を受信する。Ｓ４３では、制御装置１０は、当該予備力信号をすべての蓄電池制御装置２０に送信する。
【０３０８】
Ｓ４４では、制御装置１０は、小売電気事業者システム５０からインバランス抑制依頼を受信する。Ｓ４５では、制御装置１０は、インバランス抑制のための充電又は放電を実施させる蓄電池制御装置２０に、実施させる内容を特定するための情報を送信する。実施させる内容は、インバランス抑制依頼に基づき決定された内容である。
【０３０９】
Ｓ３３では、制御装置１０は、蓄電池３０の状態（ＳＯＣ等）を示す情報、電力需要量、及び、アンシラリーの実施情報を所定周期Ｔａ（例：５分）で繰り返し受信する。制御装置１０は、蓄電池制御装置２０から蓄電池３０の状態を示す情報を受信する。また、制御装置１０は、各需要家の装置から、各需要家の電力需要量を受信する。また、制御装置１０は、蓄電池制御装置２０からアンシラリーサービスの実施情報を受信する。アンシラリーサービスの実施情報は、各蓄電池３０のａｍａｘ＿ｎとして、ＬＦＣ向けの最大出力やＧＦ向けの最大出力、ＬＦＣやＧＦのパフォーマンス情報（制御精度や遅延等を適当な指標で評価した情報）等である。
【０３１０】
Ｓ３４では、制御装置１０は、各需要家の電力需要を予測する。予測手段は設計的事項である。また、制御装置１０は、複数の需要家各々の電力需要を足し合わせることで得た全需要家の電力需要量を用いて、全需要量に対する電力需要も予測する。
【０３１１】
Ｓ３５では、制御装置１０は、各需要家の蓄電池３０の満充電・枯渇時刻を推定する。制御装置１０は、蓄電池３０の現在のＳＯＣ、及び、各需要家の電力需要の予測結果に基づき、枯渇状態（ＳＯＣ０％）になる枯渇時刻を推定する。また、制御装置１０は、蓄電池３０の現在のＳＯＣ、及び、需要予測結果と充放電スケジュール等に基づき、満充電状態（ＳＯＣ１００％）になる満充電時刻を推定する。
【０３１２】
Ｓ３６では、制御装置１０は、各蓄電池３０のＬＦＣ制御の最適化係数を算出する。ＬＦＣ制御の最適化係数は、第１の実施形態で説明したａｍａｘ＿ｎ等に相当する。
【０３１３】
Ｓ３７では、制御装置１０は、最適化係数を複数の蓄電池制御装置２０各々に送信する。送信周期Ｔｃは、例えば１５分である。
【０３１４】
Ｓ３８では、制御装置１０は、全蓄電池３０の予備力容量を算出する。予備力容量は、第５の実施形態で説明した複数の蓄電池３０で対応可能な最大放電出力と継続時間である。Ｓ３９では、制御装置１０は、予備力容量を送配電事業者システム４０に送信する。送信周期Ｔａは、例えば５分である。なお、予備力容量としては、放電継続時間１０分程度の瞬動予備力容量と、放電継続時間３時間程度の運転予備力容量がある。
【０３１５】
Ｓ４０では、制御装置１０は、各蓄電池３０、及び、全蓄電池３０のインバランス容量を算出する。Ｓ４１では、制御装置１０は、インバランス容量を小売電気事業者システム５０に送信する。送信周期Ｔａは、例えば５分である。
【０３１６】
図２１のフローチャートを用いて、蓄電池制御装置２０の処理の流れの一例を説明する。
【０３１７】
Ｓ５０では、蓄電池制御装置２０は、予備力信号（第４の情報）を受信したか判断する。受信したと判断した場合、Ｓ５６に進む。受信していないと判断した場合、Ｓ５１及びＳ５２に進む。
【０３１８】
Ｓ５６では、蓄電池制御装置２０は、予備力信号（第４の情報）に基づき蓄電池３０の充放電制御を行う。
【０３１９】
Ｓ５１では、蓄電池制御装置２０は、制御装置１０から不定期若しくは所定周期Ｔｂ（例：数秒程度）でＬＦＣ信号を繰り返し受信する。Ｓ５２では、蓄電池制御装置２０は、制御装置１０から所定周期Ｔｃ（例：１５分）でＬＦＣ制御のための最適化係数（及び／又はＧＦ制御のための最適化係数）を繰り返し受信する。
【０３２０】
Ｓ５３では、蓄電池制御装置２０は、インバランス抑制依頼（インバランス回避に関連して充放電させる内容を特定するための第３の情報）を受信したか判断する。受信したと判断した場合、Ｓ５４に進む。受信していないと判断した場合、Ｓ５５に進む。
【０３２１】
Ｓ５４では、蓄電池制御装置２０は、インバランス抑制を計画する。具体的には、蓄電池制御装置２０は、第３の情報に基づき、インバランス回避に関連して蓄電池３０に充電又は放電させる電力を特定する。
【０３２２】
Ｓ５５では、蓄電池制御装置２０は、蓄電池３０に充電又は放電させる電力を算出し、当該内容で動作するよう蓄電池３０を制御する。
【０３２３】
例えば、蓄電池制御装置２０は、ＬＦＣ信号、系統周波数（偏差をＧＦ制御に利用する）、最適化係数等（第１の情報）に基づき特定したアンシラリーサービス用の出力値（充電電力又は放電電力）と、予め制御装置１０から取得したエネルギーマネジメントサービス用の充放電計画（第２の情報）とに基づき、各タイミングで蓄電池３０に充電又は放電させる電力を特定する。
【０３２４】
または、蓄電池制御装置２０は、ＬＦＣ信号、系統周波数（偏差をＧＦ制御に利用する）、最適化係数等（第１の情報）に基づき特定したアンシラリーサービス用の出力値（充電電力又は放電電力）と、Ｓ５４で算出したインバランス回避サービスに関連して蓄電池３０に充電又は放電させる電力とに基づき、各タイミングで蓄電池３０に充電又は放電させる電力を特定する。
【０３２５】
Ｓ５７では、蓄電池制御装置２０は、アンシラリーの実施情報や、蓄電池３０の状態情報を制御装置１０に送信する。送信周期Ｔａは例えば５分である。
【０３２６】
次に、本実施例の制御システムの具体的な処理例を説明する。
【０３２７】
例えば、ＰＣＳ定格３ｋＷ、蓄電池定格６ｋＷｈの蓄電池３０を制御対象に、エネルギーマネジメントサービスとして、夜間充電・昼間放電を行うとする。このエネルギーマネジメントサービス用の充放電出力最大値として、±１．５ｋＷを確保する（なお、マイナス側の値を放電とし、プラス側の値を充電とする）。残った出力を、アンシラリーサービスに充てるとする。但し、図１６に示すように、夜間は放電側出力がまるまる−３ｋＷ残り、昼間は、充電側出力がまるまる３ｋＷ残る。このため、アンシラリーサービス用となる残った出力は、単純に±１．５ｋＷと算出されない。以下に示すように、時間帯に応じて適切な値が算出される。
【０３２８】
今、エネルギーマネジメントサービスとして、例えば２３時から７時までに６ｋＷｈを満充電させるためには、実効的なＰＣＳ充電出力０．７５ｋＷ（＝６ｋＷｈ／８ｈ）が必要となる。この場合、当該時間帯においては、エネルギーマネジメントサービス用のＰＣＳ出力を０．７５ｋＷとし、アンシラリーサービス用のＰＣＳ出力の上限を２．２５ｋＷ（＝３ｋＷ−０．７５ｋＷ）とする。結果、当該時間帯のＰＣＳ出力は、０．７５＋２．２５Ｅ（ｔ）となる。なお、Ｅ（ｔ）はアンシラリーサービスに関する調整力関数であり、−１から１の間の値をとる。Ｅ（ｔ）には周期性が想定される。
【０３２９】
一方、７時から２３時の時間帯においては、実効的なＰＣＳ放電出力の上限を１．５ｋＷとし、アンシラリーサービス用のＰＣＳ出力の上限を１．５ｋＷ（＝３ｋＷ−１．５ｋＷ）とする。結果、当該時間帯のＰＣＳ出力は、１．５Ｆ（ｔ）＋１．５Ｅ（ｔ）となる。なお、Ｆ（ｔ）は電力需要に関する需要関数であり、０から１の間の値をとる。
【０３３０】
また、途中でイベントとしてインバランス回避依頼が入った場合、２３時から７時の時間帯においては、インバランス回避サービス用のＰＣＳ出力の上限は０．７５ｋＷとなる。そして、７時から２３時の時間帯においては、インバランス回避サービス用のＰＣＳ出力の上限は１．５ｋＷとなる。
【０３３１】
このような制御により、蓄電池３０用のＰＣＳの定格出力値±３ｋＷを、サービス向けに最大限活用することができる。
【０３３２】
次に、図２２を用いて、インバランス回避サービスの実施タイミングを説明する。図示するように、アンシラリーサービス（第１のサービス）は常に実施される。また、エネルギーマネジメントサービス（第２のサービス）とインバランス回避サービス（第３のサービス）は選択的に実施される。なお、通常状態においては、エネルギーマネジメントサービス（第２のサービス）が実施され、インバランス回避依頼があると、インバランス回避サービス（第３のサービス）が割り込まれる。
【０３３３】
小売電気事業者は、例えば前日の８時から９時３０分の時間帯においてスポット市場（１日前市場）に参加する。そして、翌日に発電又は販売する電力を購入する。
【０３３４】
また、小売電気事業者は、例えば前日の１０時から１２時の間に、スポット市場での購入実績に基づいて翌日の発電計画を作成する。そして、当該発電計画を送配電事業者に提出する。
【０３３５】
また、小売電気事業者は、１時間前計画を策定し、適時、１時間前市場へ参加して需給バランスを調整する。そして、３０分同時同量の達成が困難な場合には、ＲＡに所定のタイミングでの充電又は放電を依頼する。当該依頼は、１時間前市場が閉鎖された後、実需用の１時間前から３０分前に出力される。
【０３３６】
ＲＡは、各需要家のスマートメータから収集された１時間３０分前の電力需要情報に基づき、電力需要予測値、及び、現在の蓄電池３０の状態（例：ＳＯＣ等）から、将来の各時間帯における蓄電池３０を用いた電力需要の調整余力（電力量、空き容量等）を常に推定している。なお、当該推定結果は、小売電気事業者に送信されてもよい。そして、小売電気事業者は、推定内容に基づき、上記依頼を行うか否かを判断してもよい。
【０３３７】
ＲＡは、小売電気事業者から上記依頼を受けると、依頼された充電又は放電のタイミングにおいて、エネルギーマネジメントサービス（第２のサービス）の実施を一旦停止し、インバランス回避サービス（第３のサービス）を割り込ませる。
【０３３８】
以下、参考形態の例を付記する。
１．  第１のサービスに関連して蓄電池に充電又は放電させる電力を特定するための第１の情報を、前記蓄電池における定格出力値に基づいて生成する第１の処理手段と、
前記蓄電池を制御する蓄電池制御装置に、前記第１の情報を送信する通信手段と、
を有する制御装置。
２．  第１のサービスに関連して蓄電池に充電又は放電させる電力を特定するための第１の情報を生成する第１の処理手段と、
前記第１のサービスと並行して行われる第２のサービスに関連して前記蓄電池に充電又は放電させる電力を特定するための第２の情報を生成する第２の処理手段と、
前記蓄電池を制御する蓄電池制御装置に、少なくとも前記第１の情報を送信する通信手段と、を有する制御装置。
３．  １又は２に記載の制御装置において、
前記通信手段は、前記蓄電池制御装置に、前記第１の情報と、前記第１のサービスと並行して行われる第２のサービスに関連して前記蓄電池に充電又は放電させる電力を特定するための第２の情報とを送信する制御装置。
４．  ２又は３に記載の制御装置において、
前記蓄電池に関する情報であって、前記第１のサービスのための出力の上限及び前記第２のサービスのための出力の上限の少なくとも一方を示す制御情報を取得又は設定する制御手段をさらに有し、
前記第１の処理手段が前記制御情報に基づき前記第１の情報を生成する処理、及び、前記第２の処理手段が前記制御情報に基づき前記第２の情報を生成する処理の少なくとも一方を行う制御装置。
５．  ４に記載の制御装置において、
前記第１のサービスのための出力の上限と、前記第２のサービスのための出力の上限との和は、前記蓄電池用のＰＣＳの定格出力値以下である制御装置。
６．  ４又は５に記載の制御装置において、
前記制御手段は、複数の前記蓄電池各々に対応して異なる内容の前記制御情報を取得又は設定し、
複数の前記蓄電池各々に対応する前記制御情報で示される各タイミングでの前記第１のサービスのための出力の上限の和は所定範囲に収まる制御装置。
７．  ４から６のいずれかに記載の制御装置において、
前記第１のサービスは、電力系統の需給バランス調整に関連して前記蓄電池の充放電を制御するＬＦＣ（lord frequency control）制御及びＧＦ（Governor Free）制御の少なくとも一方に関するアンシラリーサービスであり、
前記第２のサービスは、電力単価が相対的に安い時間帯に電力を充電し、電力単価が相対的に高い時間帯に電力を放電する充放電動作を前記蓄電池に実行させるエネルギーマネジメントサービス、ピークカットを行うエネルギーマネジメントサービス、小売電気事業者からの依頼に基づき前記蓄電池の充放電を制御するインバランス回避サービス、及び、発電事業者からの依頼に基づき前記蓄電池の充放電を制御する余剰電力吸収サービスの中のいずれかであり、
前記制御手段は、
前記第２のサービスの出力の上限を設定した後、前記第２のサービスの出力の上限に基づき前記第１のサービスの出力の上限を設定する、または、
前記第１のサービスの出力の上限を設定した後、前記第１のサービスの出力の上限に基づき前記第２のサービスの出力の上限を設定する制御装置。
８．  ２から７のいずれかに記載の制御装置において、
前記第２の処理手段は、ＳＯＣの値が所定の値以下または所定の値以上になる時間帯が前記蓄電池毎に異なる前記第２の情報を生成する制御装置。
９．  ２から８のいずれかに記載の制御装置において、
前記第１のサービスと並行し、前記第２のサービスとの間で選択的に行われる第３のサービスに関連して前記蓄電池に充電又は放電させる電力を特定するための第３の情報を生成する第３の処理手段をさらに有し、
前記通信手段は、前記蓄電池制御装置に前記第３の情報をさらに送信する制御装置。
１０．  ４から７のいずれかに従属する９に記載の制御装置において、
前記第３の処理手段は、前記第２のサービスのための出力の上限を、前記第３のサービスのための出力の上限として、前記第３の情報を生成する制御装置。
１１．  ４から７のいずれかに従属する９又は１０に記載の制御装置において、
前記制御手段は、前記第２のサービス及び前記第３のサービスのいずれを優先させるかを決定し、
前記通信手段は、前記第２のサービス及び前記第３のサービスのいずれを優先させるか示す情報を、前記蓄電池制御装置に送信する制御装置。
１２．  ９から１１のいずれかに記載の制御装置において、
前記第２の処理手段は、前記第３のサービスの実施に応じて、前記第２の情報を更新する制御装置。
１３．  ９から１２のいずれかに記載の制御装置において、
前記第２のサービスは、電力単価が相対的に安い時間帯に電力を充電し、電力単価が相対的に高い時間帯に電力を放電する充放電動作を前記蓄電池に実行させるエネルギーマネジメントサービスであり、前記第２の情報では、放電時間帯及び充電時間帯のスケジュールが定められており、
前記第３のサービスは、小売電気事業者からの依頼に基づき前記蓄電池の充放電を制御するインバランス回避サービスであり、
前記第２の処理手段は、
前記第３のサービスの実施が終了した時点が前記第２の情報で定められる前記放電時間帯である場合、前記第３のサービスの実施が終了した時点の前記蓄電池の充電電力量を前記放電時間帯で放電する前記第２の情報を新たに生成し、
前記第３のサービスの実施が終了した時点が前記第２の情報で定められる前記充電時間帯である場合、前記第３のサービスの実施が終了した時点の前記蓄電池の空き容量分を前記充電時間帯で充電する前記第２の情報を新たに生成する制御装置。
１４．  ２から１３のいずれかに記載の制御装置において、
すべての前記サービスを停止した状態で単独で行われる第４のサービスに関連して前記蓄電池に充電又は放電させる電力を特定するための第４の情報を生成する第４の処理手段をさらに有し、
前記通信手段は、前記蓄電池制御装置に前記第４の情報をさらに送信する制御装置。
１５．  １４に記載の制御装置において、
前記第４の処理手段は、前記蓄電池用のＰＣＳの定格出力値を、前記第４のサービスのための出力の上限として、前記第４の情報を生成する制御装置。
１６．  ２から１５のいずれかに記載の制御装置において、
前記第１の情報で特定される前記蓄電池に充電させる充電電力の積算量と、前記第１の情報で特定される前記蓄電池に放電させる放電電力の積算量とが対応する第１のタイミングが繰り返し現れる制御装置。
１７．  １６に記載の制御装置において、
前記第２の情報で特定される前記蓄電池に充電させる充電電力の積算量と、前記第２の情報で特定される前記蓄電池に放電させる放電電力の積算量とが対応する第２のタイミングが繰り返し現れ、
前記第１のタイミングが現れる周期と、前記第２のタイミングが現れる周期とは異なる制御装置。
１８．  １７に記載の制御装置において、
前記第１のタイミングが現れる周期は、前記第２のタイミングが現れる周期よりも短い制御装置。
１９．  ２に記載の制御装置において、
前記制御手段は、前記第１のサービス及び前記第２のサービスの内の一方の実施を停止させることを決定し、
前記通信手段は、前記第１のサービス及び前記第２のサービスの内の一方の実施を停止させる信号を前記蓄電池制御装置に送信する制御装置。
２０．  １９に記載の制御装置において、
前記制御手段は、前記第１のサービス及び前記第２のサービスの内の一方の実施を停止させ、他方の出力の上限を引き上げることを決定し、
出力の上限を引き上げられたサービスのための情報を生成する前記第１の処理手段又は前記第２の処理手段は、引き上げられた出力の上限に基づき前記第１の情報又は前記第２の情報を生成する制御装置。
２１．  第１のサービスに関連して蓄電池に充電又は放電させる電力を特定するための第１の情報を受信する通信手段と、
前記第１の情報に基づいて、第２のサービスに関連して前記蓄電池に充電又は放電させる電力を特定するための第２の情報を算出する算出手段と、
前記第１の情報と前記第２の情報とに基づいて前記蓄電池を制御する蓄電池制御手段とを有する蓄電池制御装置。
２２．  ２１に記載の蓄電池制御装置において、
前記算出手段は、前記第１の情報と前記蓄電池における定格出力値とに基づいて、前記第２の情報を算出する蓄電池制御装置。
２３．  第１のサービスに関連して蓄電池に充電又は放電させる電力を特定するための第１の情報、及び、前記第１のサービスと並行して行われる第２のサービスに関連して前記蓄電池に充電又は放電させる電力を特定するための第２の情報を受信する通信手段と、
前記第１の情報及び前記第２の情報に基づき、前記蓄電池に充電又は放電させる電力を算出する算出手段と、
前記算出手段により算出された内容で前記蓄電池を制御する蓄電池制御手段と、
を有する蓄電池制御装置。
２４．  ２１から２３のいずれかに記載の蓄電池制御装置において、
前記通信手段は、前記第１のサービスと並行し、前記第２のサービスとの間で選択的に行われる第３のサービスに関連して前記蓄電池に充電又は放電させる電力を特定するための第３の情報を受信し、
前記算出手段は、前記第１の情報及び前記第３の情報に基づき、前記蓄電池に充電又は放電させる電力を算出する蓄電池制御装置。
２５．  ２４に記載の蓄電池制御装置において、
前記通信手段が、同じタイミングで前記蓄電池に充電又は放電させるための前記第１の情報、前記第２の情報及び前記第３の情報を受信した場合、
前記算出手段は、前記第１の情報及び前記第３の情報に基づき、前記タイミングで前記蓄電池に充電又は放電させる電力を算出する蓄電池制御装置。
２６．  ２４又は２５に記載の蓄電池制御装置において、
前記通信手段が、同じタイミングで前記蓄電池に充電又は放電させるための前記第１の情報、前記第２の情報及び前記第３の情報を受信し、かつ、前記第２のサービス及び前記第３のサービスいずれを優先させるか示す情報を受信した場合、
前記算出手段は、前記第１の情報と、第２の情報及び第３の情報の内の優先させる方のサービスに関する情報とに基づき、前記タイミングで前記蓄電池に充電又は放電させる電力を算出する蓄電池制御装置。
２７．  ２１から２６のいずれかに記載の蓄電池制御装置において、
前記通信手段は、すべての前記サービスを停止し、単独で行われる第４のサービスに関連して前記蓄電池に充電又は放電させる電力を特定するための第４の情報を受信し、
前記算出手段は、前記第４の情報に基づき、前記蓄電池に充電又は放電させる電力を算出する蓄電池制御装置。
２８．  ２７に記載の蓄電池制御装置において、
前記通信手段が、同じタイミングで前記蓄電池に充電又は放電させるための前記第４の情報及びその他の情報を受信した場合、
前記算出手段は、前記第４の情報に基づき、前記タイミングで前記蓄電池に充電又は放電させる電力を算出する蓄電池制御装置。
２９．  ２８に記載の蓄電池制御装置において、
前記通信手段が、同じタイミングで前記蓄電池に充電又は放電させるための前記第４の情報及びその他の情報を受信した場合、
前記蓄電池制御手段は、他の前記サービスのための充放電を停止し、前記第４のサービスのための充放電のみを前記蓄電池に実行させる蓄電池制御装置。
３０．  ２１から２９のいずれかに記載の蓄電池制御装置において、
前記第１の情報で特定される前記蓄電池に充電させる充電電力の積算量と、前記第１の情報で特定される前記蓄電池に放電させる放電電力の積算量とが対応する第１のタイミングが繰り返し現れる蓄電池制御装置。
３１．  ３０に記載の蓄電池制御装置において、
前記第２の情報で特定される前記蓄電池に充電させる充電電力の積算量と、前記第２の情報で特定される前記蓄電池に放電させる放電電力の積算量とが対応する第２のタイミングが繰り返し現れ、
前記第１のタイミングが現れる周期と、前記第２のタイミングが現れる周期とは異なる制御装置。
３２．  ３１に記載の蓄電池制御装置において、
前記第１のタイミングが現れる周期は、前記第２のタイミングが現れる周期よりも短い蓄電池制御装置。
３３．  １から２０のいずれかに記載の制御装置と、
２１から３２のいずれかに記載の蓄電池制御装置と、
を有する制御システム。
３４．  第１の目的で電池部に充電又は放電させる第１の電力を算出し、前記第１の電力と、外部装置から受信した他の目的で前記電池部に充電又は放電させる第２の電力とを足し合わせることで、前記電池部に充電又は放電させる電力を算出する算出手段と、
前記算出手段により算出された内容で前記電池部から充放電させる電池部制御手段と、
を有する電池部制御装置。
３５．  ３４に記載の電池部制御装置において、
前記第１の目的はＧＦ制御であり、前記他の目的はＬＦＣ制御を含む電池部制御装置。
３６．  コンピュータが、
第１のサービスに関連して蓄電池に充電又は放電させる電力を特定するための第１の情報を、前記蓄電池における定格出力値に基づいて生成する第１の処理工程と、
前記蓄電池を制御する蓄電池制御装置に、前記第１の情報を送信する通信工程と、
を実行する制御装置の動作方法。
３７．  コンピュータを、
第１のサービスに関連して蓄電池に充電又は放電させる電力を特定するための第１の情報を、前記蓄電池における定格出力値に基づいて生成する第１の処理手段、
前記蓄電池を制御する蓄電池制御装置に、前記第１の情報を送信する通信手段、
として機能させるプログラム。
３８．  コンピュータが、
第１のサービスに関連して蓄電池に充電又は放電させる電力を特定するための第１の情報を生成する第１の処理工程と、
前記第１のサービスと並行して行われる第２のサービスに関連して前記蓄電池に充電又は放電させる電力を特定するための第２の情報を生成する第２の処理工程と、
前記蓄電池を制御する蓄電池制御装置に、少なくとも前記第１の情報を送信する通信工程と、
を実行する制御装置の動作方法。
３９．  コンピュータを、
第１のサービスに関連して蓄電池に充電又は放電させる電力を特定するための第１の情報を生成する第１の処理手段、
前記第１のサービスと並行して行われる第２のサービスに関連して前記蓄電池に充電又は放電させる電力を特定するための第２の情報を生成する第２の処理手段、
前記蓄電池を制御する蓄電池制御装置に、少なくとも前記第１の情報を送信する通信手段、
として機能させるプログラム。
４０．  コンピュータが、
第１のサービスに関連して蓄電池に充電又は放電させる電力を特定するための第１の情報を受信する通信工程と、
前記第１の情報に基づいて、第２のサービスに関連して前記蓄電池に充電又は放電させる電力を特定するための第２の情報を算出する算出工程と、
前記第１の情報と前記第２の情報とに基づいて前記蓄電池を制御する蓄電池制御工程と、
を実行する蓄電池制御装置の動作方法。
４１．  コンピュータを、
第１のサービスに関連して蓄電池に充電又は放電させる電力を特定するための第１の情報を受信する通信手段、
前記第１の情報に基づいて、第２のサービスに関連して前記蓄電池に充電又は放電させる電力を特定するための第２の情報を算出する算出手段、
前記第１の情報と前記第２の情報とに基づいて前記蓄電池を制御する蓄電池制御手段、
として機能させるプログラム。
４２．  コンピュータが、
第１のサービスに関連して蓄電池に充電又は放電させる電力を特定するための第１の情報、及び、前記第１のサービスと並行して行われる第２のサービスに関連して前記蓄電池に充電又は放電させる電力を特定するための第２の情報を受信する通信工程と、
前記第１の情報及び前記第２の情報に基づき、前記蓄電池に充電又は放電させる電力を算出する算出工程と、
前記算出工程で算出された内容で前記蓄電池を制御する蓄電池制御工程と、
を実行する蓄電池制御装置の動作方法。
４３．  コンピュータを、
第１のサービスに関連して蓄電池に充電又は放電させる電力を特定するための第１の情報、及び、前記第１のサービスと並行して行われる第２のサービスに関連して前記蓄電池に充電又は放電させる電力を特定するための第２の情報を受信する通信手段、
前記第１の情報及び前記第２の情報に基づき、前記蓄電池に充電又は放電させる電力を算出する算出手段、
前記算出手段により算出された内容で前記蓄電池を制御する蓄電池制御手段、
として機能させるプログラム。
４４．  コンピュータが、
第１の目的で電池部に充電又は放電させる第１の電力を算出し、前記第１の電力と、外部装置から受信した他の目的で前記電池部に充電又は放電させる第２の電力とを足し合わせることで、前記電池部に充電又は放電させる電力を算出する算出工程と、
前記算出工程で算出された内容で前記電池部から充放電させる電池部制御工程と、
を実行する電池部制御装置の動作方法。
４５．  コンピュータを、
第１の目的で電池部に充電又は放電させる第１の電力を算出し、前記第１の電力と、外部装置から受信した他の目的で前記電池部に充電又は放電させる第２の電力とを足し合わせることで、前記電池部に充電又は放電させる電力を算出する算出手段、
前記算出手段により算出された内容で前記電池部から充放電させる電池部制御手段、
として機能させるプログラム。
【図１】
2017203664.tif 000003
【図２】
2017203664.tif 000004
【図３】
2017203664.tif 000005
【図４】
2017203664.tif 000006
【図５】
2017203664.tif 000007
【図６】
2017203664.tif 000008
【図７】
2017203664.tif 000009
【図８】
2017203664.tif 000010
【図９】
2017203664.tif 000011
【図１０】
2017203664.tif 000012
【図１１】
2017203664.tif 000013
【図１２】
2017203664.tif 000014
【図１３】
2017203664.tif 000015
【図１４】
2017203664.tif 000016
【図１５】
2017203664.tif 000017
【図１６】
2017203664.tif 000018
【図１７】
2017203664.tif 000019
【図１８】
2017203664.tif 000020
【図１９】
2017203664.tif 000021
【図２０】
2017203664.tif 000022
【図２１】
2017203664.tif 000023
【図２２】
2017203664.tif 000024
【図２３】
2017203664.tif 000025
【図２４】
2017203664.tif 000026
【図２５】
2017203664.tif 000027
【国際調査報告】
2017203664.tif 000028
2017203664.tif 000029
2017203664.tif 000030
2017203664.tif 000031